(57)【要約】【課題】近距離無線通信により送信される音声信号に応じた音声を聴取できるようにすると共に、ＦＭ放送の放送信号に応じた音声の聴取もできるようにする。【解決手段】ＦＭ受信部３と近距離無線部３とが１チップに集積されてパッケージされた集積回路を有している。当該集積回路のＦＭ受信部３からの音声信号を出力するか近距離無線部２からの音声信号を出力するかが、スイッチ回路９により切り換えられる。接続端子５にはイヤホン１５０が接続されるが、接続端子５は、音声信号を出力すると共に、接続されたイヤホン１５０のケーブルを通じて受信したＦＭ放送信号を集積回路のＦＭ受信部３に供給する構成となっている。【選択図】図１
2011259409.tif 000002
【特許請求の範囲】
【請求項１】
ＦＭ（Frequency Modulation）受信回路と近距離無線通信回路とが１チップに集積されてパッケージされた集積回路と、
前記ＦＭ受信回路からの音声信号を出力するか、前記近距離無線通信回路からの音声信号を出力するかを切り換えるスイッチ手段と、
前記スイッチ手段により選択するようにされた音声信号を出力すると共に、接続されたイヤホン等のケーブルを通じて受信するＦＭ放送信号を前記ＦＭ受信回路に供給する接続端と
を備える音声再生用装置。
【請求項２】
請求項１に記載の音声再生用装置であって、
前記スイッチ手段は、ユーザ操作により直接に切り換えられるようにされるものである音声再生用装置。
【請求項３】
請求項１に記載の音声再生用装置であって、
前記スイッチ手段に対するユーザからの切り換え指示入力を受け付ける受付手段と、
前記受付手段を通じて受け付けた前記切り替え指示入力に応じて、前記スイッチ手段を制御する制御信号を形成し、当該制御信号を前記スイッチ手段に供給する制御手段と
を備え、
前記スイッチ手段は、前記制御手段からの前記制御信号により切り換えられるようにされるものである音声再生用装置。
【請求項４】
ＦＭ（Frequency Modulation）受信回路と、
近距離無線通信回路と、
前記ＦＭ受信回路からの音声信号を出力するか、前記近距離無線通信回路からの音声信号を出力するかを切り換えるスイッチ手段と、
前記スイッチ手段により選択するようにされた音声信号を出力すると共に、接続されたイヤホン等のケーブルを通じて受信するＦＭ放送信号を前記ＦＭ受信回路に供給する接続端と、
前記近距離無線通信回路を通じて受け付けた切り換え要求に応じて、前記スイッチ手段の切り換え制御を行う切り換え制御手段と、
前記近距離無線通信回路を通じて受け付けた要求に応じて、少なくとも前記ＦＭ受信回路の制御を行う制御手段と、
少なくとも前記ＦＭ受信回路の状態を示す情報を取得して、前記近距離無線通信回路を通じて送信するようにする情報提供手段と
を備える音声再生用装置。
【請求項５】
ＦＭ（Frequency Modulation）受信回路と、近距離無線通信回路と、前記ＦＭ受信回路からの音声信号を出力するか、前記近距離無線通信回路からの音声信号を出力するかを切り換えるスイッチ手段と、前記スイッチ手段により選択するようにされた音声信号を出力すると共に、接続されたイヤホン等のケーブルを通じて受信するＦＭ放送信号を前記ＦＭ受信回路に供給する接続端とを備えた音声再生用装置に搭載されたコンピュータで実行されるプログラムであって、
前記近距離無線通信回路を通じて受け付けた切り換え要求に応じて、前記スイッチ手段の切り換え制御を行う切り換え制御ステップと、
前記近距離無線通信回路を通じて受け付けた要求に応じて、少なくとも前記ＦＭ受信回路の制御を行う制御ステップと、
少なくとも前記ＦＭ受信回路の状態を示す情報を取得して、前記近距離無線通信回路を通じて送信するようにする情報提供ステップと
を実行することを特徴とするコンピュータ読み取り可能な音声再生用装置の制御プログラム。
【請求項６】
ＦＭ（Frequency Modulation）受信回路と、
近距離無線通信回路と、
前記ＦＭ受信回路からの音声信号を出力するか、前記近距離無線通信回路からの音声信号を出力するかを切り換えるスイッチ手段と、
前記スイッチ手段によって選択するようにされた音声信号を出力すると共に、接続されたイヤホン等のケーブルを通じて受信するＦＭ放送信号を前記ＦＭ受信回路に供給する接続端と、
前記近距離無線通信回路を通じて受け付けた切り換え要求に応じて、前記スイッチ手段の切り換え制御を行う切り換え制御手段と、
前記近距離無線通信回路を通じて受け付けた要求に応じて、少なくとも前記ＦＭ受信回路の制御を行う制御手段と、
少なくとも前記ＦＭ受信回路の状態を示す情報を取得して、前記近距離無線通信回路を通じて送信するようにする情報提供手段と
を備える音声再生用装置と、
前記音声再生用装置の前記近距離無線通信回路との間で無線通信を行うようにするための近距離無線通信回路と、
前記音声再生用装置に関する情報を表示する表示手段と、
ユーザからの前記音声再生用装置に対する操作入力を受け付ける受付手段と、
前記受付手段を通じて受け付けた前記操作入力に応じて、前記音声再生用装置に対する要求を形成し、当該要求を前記近距離無線通信回路を通じて前記音声再生用装置に送信するようにする要求送信手段と、
前記近距離無線通信回路を通じて受信した前記音声再生用装置からの情報に応じた情報を、前記表示手段に表示するようにする表示制御手段と
を備えた端末装置とからなる音声再生システム。
【請求項７】
ＦＭ（Frequency Modulation）ラジオ放送受信回路と近距離無線通信回路とを備えた音声再生用装置を利用する端末装置に搭載されたコンピュータで実行されるプログラムであって、
ユーザからの前記音声再生用装置に対する操作入力を、受付手段を通じて受け付ける受付ステップと、
前記受付ステップを通じて受け付けた前記操作入力に応じて、前記音声再生用装置に対する要求を形成し、当該要求を前記近距離無線通信回路を通じて前記音声再生用装置に送信するようにする要求送信ステップと、
前記近距離無線通信回路を通じて、前記音声再生用装置からの情報を受信する受信ステップと、
前記受信ステップにおいて受信した前記情報に応じた情報を、表示手段に表示するようにする表示制御ステップと
を実行するコンピュータ読み取り可能な端末装置の音声再生用装置利用プログラム。
【請求項８】
ＦＭ（Frequency Modulation）受信回路と近距離無線通信回路とを備えた音声再生用装置の前記近距離無線通信回路との間で無線通信を行うようにするための近距離無線通信回路と、
前記音声再生用装置に関する情報を表示する表示手段と、
ユーザからの前記音声再生用装置に対する操作入力を受け付ける受付手段と、
前記受付手段を通じて受け付けた前記操作入力に応じて、前記音声再生用装置に対する要求を形成し、当該要求を前記近距離無線通信回路を通じて前記音声再生用装置に送信するようにする要求送信手段と、
前記近距離無線通信回路を通じて受信した前記音声再生用装置からの情報に応じた情報を、前記表示手段に表示するようにする表示制御手段と、
携帯電話網に接続して通信を行うための通信手段と、
前記近距離無線通信回路を通じて受信した前記音声再生用装置からの情報に基づいて決まる相手先との間で、前記通信手段を通じて通信を行うように制御する通信制御手段と
を備える携帯電話端末。
【発明の詳細な説明】
【技術分野】
【０００１】
この発明は、例えば、音楽再生機能を備えた携帯電話端末や音楽再生装置と無線通信により接続されて再生音声の聴取に用いられる装置及びプログラム等に関する。
【背景技術】
【０００２】
例えば、携帯型のＦＭ（Frequency Modulation）ラジオ受信機においては、ＦＭラジオ放送を良好に受信するため、これに接続されるイヤホンのケーブル（イヤホンケーブル）をアンテナとして用いるようにすることが従来から行われている。
【０００３】
また、近年においては、ＦＭラジオ放送を受信する機能を備えた携帯電話端末も提供されるようになってきている。このような携帯電話端末においても、これに接続されるイヤホンケーブルをアンテナとして用いるようにしている。
【０００４】
そして、ラジオ受信機やＦＭラジオ放送の受信機能を備えた携帯電話端末などに接続されて、そのケーブルがアンテナとして用いられるイヤホンについては、受信感度を向上させるために、種々の改良が成されている。
【０００５】
例えば、後に記す特許文献１には、イヤホンケーブルに高周波チョークコイルと高周波的に互いに並列接続するコンデンサとを設けることにより、イヤホンケーブルをアンテナとして使用する場合のＦＭ受信感度の低下を防止する技術が開示されている。
【０００６】
また、後に記す特許文献２には、異なる周波数帯のアンテナを一体に形成することにより、それぞれの周波数帯において受信性能を向上させるイヤホンアンテナについての技術が開示されている。
【先行技術文献】
【特許文献】
【０００７】
【特許文献１】特開平９−３３１２０９号公報
【特許文献１】特開２００８−２５８７２８号公報
【発明の概要】
【発明が解決しようとする課題】
【０００８】
ところで、近年、携帯音楽プレーヤや音楽再生機能付きの携帯電話端末、他これらに順ずる音楽などの音声情報を再生できる携帯機器において、再生音声信号を近距離無線通信により送受して聴取できるようにするヘッドセットの使用が一般的になってきている。近距離無線通信機能を備えたヘッドセット（以下、無線ヘッドセットという。）としては、例えば、Ｂｌｕｅｔｏｏｔｈ規格のものなどが普及している。
【０００９】
この場合、携帯音楽プレーヤや音楽再生機能付きの携帯電話端末においては、再生した音声信号を近距離無線通信により無線ヘッドセットに送信する。無線ヘッドセットは送信されてきた音声信号を受信して、当該音声信号に応じた音声を自機のイヤホン等のスピーカから放音する。
【００１０】
このように、携帯端末と無線ヘッドセットは有線により接続されることは無いので、端末装置の取り回しの自由度が増すなど、端末装置を使用する際の利便性を向上させることができる。
【００１１】
しかしながら、無線ヘッドセットは、例え携帯音楽プレーヤや携帯電話端末がＦＭラジオ放送の受信機能を備えたものであっても、ＦＭラジオ放送の聴取には使用することはできない。
【００１２】
なぜなら、ワイヤレスのイヤホンである無線ヘッドセットは、上述したように、携帯音楽プレーヤや携帯電話端末などの携帯機器と有線で接続されない。このため、当該無線ヘッドセットは、携帯機器に内蔵されているＦＭラジオ放送の受信回路についてのアンテナの機能を果たすことができないのである。
【００１３】
つまり、図１３に示すように、音声再生部４０１、近距離無線通信部４０２、ＦＭ受信回路４０３を有する携帯端末４００では、有線イヤホン４５０がＦＭアンテナ機能を担っている。このため、携帯端末４００では、当該携帯端末のＦＭ受信回路４０３にイヤホン４５０が接続されていることがＦＭラジオ機能を使用する前提条件となっている。
【００１４】
しかし、図１３に示した構成の場合、無線ヘッドセット３００の使用時においては、ＦＭラジオ受信機用のアンテナが存在しなくなる。このため、仮に、ＦＭ受信回路４０３が近距離無線部４０３に受信信号を供給可能な構成になっていても、ＦＭラジオ放送を良好に受信することができない。したがって、無線ヘッドセット３００を用いては、携帯端末４００が有するＦＭラジオ受信機能を用いて受信した放送を聴取できない構成になっている。
【００１５】
以上のことに鑑み、この発明は、近距離無線通信により送信される音声信号に応じた音声を聴取できるようにすると共に、ＦＭ放送の放送信号に応じた音声の聴取もできるようにすることを目的とする。
【課題を解決するための手段】
【００１６】
上記課題を解決するため、請求項１に記載の発明の音声再生用装置は、
ＦＭ（Frequency Modulation）受信回路と近距離無線通信回路とが１チップに集積されてパッケージされた集積回路と、
前記ＦＭ受信回路からの音声信号を出力するか、前記近距離無線通信回路からの音声信号を出力するかを切り換えるスイッチ手段と、
前記スイッチ手段により選択するようにされた音声信号を出力すると共に、接続されたイヤホン等のケーブルを通じて受信するＦＭ放送信号を前記ＦＭ受信回路に供給する接続端と
を備える。
【００１７】
この請求項１に記載の発明の音声再生用装置によれば、ＦＭ受信回路と近距離無線通信回路とが１チップに集積されてパッケージされた集積回路を有している。ここで「チップ」と言う文言は、パッケージされた半導体集積回路（ＩＣ）の総称を意味している。
【００１８】
そして、当該集積回路のＦＭ受信回路からの音声信号を出力するか近距離無線通信回路からの音声信号を出力するかが、スイッチ手段により切り換えられる。また、接続端にはイヤホンなどが接続されるが、当該接続端は、音声信号を出力すると共に、接続されたイヤホン等のケーブルを通じて受信したＦＭ放送信号を集積回路のＦＭ受信回路に供給する構成となっている。
【００１９】
これにより、近距離無線通信回路を通じて受信する例えば携帯音楽プレーヤなどの端末装置からの再生音声信号に応じた音声と、ＦＭ受信回路により受信される放送信号に応じた音声とを切り換えて聴取することができるようにされる。
【００２０】
また、ＦＭ受信回路は当該音声再生用装置に搭載されるので、携帯音楽プレーヤなどの端末装置にＦＭ受信回路を搭載する必要はない。したがって、端末装置側の構成を簡単にすることができるなどの副次的な効果も上げられる。
【００２１】
また、請求項４に記載の発明の音声再生用装置は、
ＦＭ（Frequency Modulation）受信回路と、
近距離無線通信回路と、
前記ＦＭ受信回路からの音声信号を出力するか、前記近距離無線通信回路からの音声信号を出力するかを切り換えるスイッチ手段と、
前記スイッチ手段により選択するようにされた音声信号を出力すると共に、接続されたイヤホン等のケーブルを通じて受信するＦＭ放送信号を前記ＦＭ受信回路に供給する接続端と、
前記近距離無線通信回路を通じて受け付けた切り換え要求に応じて、前記スイッチ手段の切り換え制御を行う切り換え制御手段と、
前記近距離無線通信回路を通じて受け付けた要求に応じて、少なくとも前記ＦＭ受信回路の制御を行う制御手段と、
少なくとも前記ＦＭ受信回路の状態を示す情報を取得して、前記近距離無線通信回路を通じて送信するようにする情報提供手段と
を備える。
【００２２】
この請求項４に記載の発明の音声再生用装置によれば、ＦＭ受信回路と近距離無線通信回路とを備えている。接続端にはイヤホンなどが接続されるが、当該接続端は、音声信号を出力すると共に、接続されたイヤホン等のケーブルを通じて受信したＦＭ放送信号をＦＭ受信回路に供給する構成となっている。
【００２３】
そして、ＦＭ受信回路と近距離無線通信回路との内、いずれの回路からの音声信号を出力するかが、近距離無線通信部を通じて受信される切り換え要求に応じて、スイッチ手段が切り換え制御手段により切り換えられることにより選択される。
【００２４】
また、近距離無線通信回路を通じて受け付けた要求に応じて、少なくともＦＭ受信回路が制御手段により制御されて、例えば、選局などが行うようにされる。また、情報提供手段により、少なくともＦＭ受信回路の状態を示す情報が取得され、これが近距離無線通信回路を通じて送信される。
【００２５】
これにより、近距離無線通信回路を通じて受信する例えば携帯音楽プレーヤなどの端末装置からの再生音声信号に応じた音声と、ＦＭ受信回路により受信される放送信号に応じた音声とを、当該端末装置からの要求に応じて切り換えて聴取することができるようにされる。
【００２６】
また、当該端末装置からの要求に応じて、ＦＭ受信回路の選局を変更するようにしたり、ＦＭ受信回路の例えば選局の状態等を当該端末装置に提供したりするなどのこともできるようにされる。
【００２７】
したがって、ＦＭ受信回路を備えない端末装置が、あたかも自機がＦＭ受信回路を備えているかのように振る舞い、音声再生用装置のＦＭ受信回路で受信される放送信号に応じた音声の聴取もすることができるようにされる。
【発明の効果】
【００２８】
この発明によれば、近距離無線通信により送信される音声信号に応じた音声を聴取できるようにすると共に、ＦＭ放送された放送信号に応じた音声の聴取もできるようにすることができる。
【図面の簡単な説明】
【００２９】
【図１】実施の形態の音声再生用装置１００と携帯電話端末２００の基本的な構成について説明するためのブロック図である。
【図２】第１の実施の形態の音声再生用装置１００Ａを説明するためのブロック図である。
【図３】第１の実施の形態の音声再生用装置１００Ａの外観の一例を示す図である。
【図４】第１の実施の形態の音声再生用装置１００Ａの動作を説明するためのフローチャートである。
【図５】第２の実施の形態の音声再生用装置１００Ｂを説明するためのブロック図である。
【図６】第２の実施の形態の音声再生用装置１００Ｂの外観の一例を示す図である。
【図７】第２の実施の形態の音声再生用装置１００Ｂの動作を説明するためのフローチャートである。
【図８】第３の実施の形態の音声再生用装置１００Ｃおよび携帯電話端末２００Ｃを説明するためのブロック図である。
【図９】第３の実施の形態の携帯電話端末２００ＣのＬＣＤ２２２の表示画面に表示されるＦＭラジオアプリケーション実行時の操作画面（操作パネル）を説明するための図である。
【図１０】第３の実施の形態の携帯電話端末２００Ｃの動作を説明するためのフローチャートである。
【図１１】図１０に続くフローチャートである。
【図１２】第３の実施の形態の音声再生用装置１００Ｃの動作を説明するためのフローチャートである。
【図１３】ＦＭ受信回路を備えた携帯電話端末と無線ヘッドセットの従来の利用態様を説明するための図である。
【発明を実施するための最良の形態】
【００３０】
以下、図を参照しながら、この発明の装置、システム、プログラムの一実施の形態について説明する。以下においては、この発明による音声再生用装置が、例えばＢｌｕｅｔｏｏｔｈ規格の近距離無線通信機能を有する無線ヘッドセットである場合を例にして説明する。また、以下においては、この発明の音声再生用装置に音声信号を近距離無線通信により送信してくる端末装置が音楽再生機能を備えた携帯電話端末である場合を例にして説明する。
【００３１】
そして、この発明による音声再生用装置と、当該音楽再生用装置に音声信号を供給する機能を備えた端末装置とからなる装置が、この発明による音楽再生システムである。また、当該システムの音声再生用装置に搭載されたコンピュータで実行されるプログラムがこの発明による音楽再生用装置の制御用プログラムである。また、当該システムの端末装置で実行されるプログラムが、この発明による音声再生用装置利用プログラムである。
【００３２】
［音声再生用装置の基本構成と携帯電話端末の基本構成］
まず、この発明の装置、システム、プログラムについて具体的に説明する前に、この発明の音声再生用装置の基本的な構成と、当該音声再生用装置に音声信号を送信する機能を備えた携帯電話端末の基本的な構成について説明する。
【００３３】
図１は、以下に説明する実施の形態の音声再生用装置（無線ヘッドセット）１００と携帯電話端末２００の基本的な構成について説明するためのブロック図である。図１に示すように、以下に説明する実施の形態の音声再生用装置１００は基本的な構成として、近距離無線通信用の送受信アンテナ１と、近距離無線部２と、ＦＭ受信部３と、アンプ（増幅回路）４と、イヤホン等の接続端子５と、操作部６とを備えている。
【００３４】
そして、音声再生用装置１００は、近距離無線通信用の送受信アンテナ１と近距離無線部２とを通じて受信した音声信号と、ＦＭ受信部３を通じて受信、選局され復調された音声信号（ＦＭ放送信号）とのいずれかを選択してアンプ４に供給することができる構成となっている。アンプ４は、これに供給された音声信号を増幅し、これを接続端子５を通じて当該接続端子５に接続されたイヤホン１５０に供給する。
【００３５】
これにより、イヤホン１５０を通じて、近距離無線部２からの音声信号に応じた音声、あるいは、ＦＭ受信部３からの音声信号に応じた音声を聴取することができるようにされる。なお、図１に示したように、接続端子５は、ＦＭ受信部３に接続されている。従って、イヤホン１５０のイヤホンケーブルは、ＦＭ放送信号の受信アンテナとしても用いられる。これにより、ＦＭ放送信号をＦＭ受信部３が良好に受信することができるようにされる。
【００３６】
なお、近距離無線部２とＦＭ受信部３との内、どちらからの音声信号をアンプ４に供給するかは、後述もするが、操作部６を通じて受け付けたユーザからの操作入力や、ユーザの指示に応じて携帯電話端末２００から提供される切り換え要求（切り換え制御信号）に応じて行われる。また、上述した基本的な構成以外の部分の詳細については後述する。
【００３７】
次に、音声再生装置１００には、近距離無線部２とＦＭ受信部３とが搭載されているが、これら２つの回路部を１チップに集積してパッケージした集積回路とすることが可能である。
【００３８】
なお、近距離無線部２とＦＭ受信部３とが搭載された集積回路としては、例えば、  
http://www.stericsson.com/product/207236.jsp
http://www.stericsson.com/product/191760.jsp
などのＷｅｂページに開示されているものなどがある。
【００３９】
一方、携帯電話端末２００は、図１に示すように、電話通信を行う通信系２１０と、メモリに蓄積されている音楽データ等の音声データの再生を行う音声再生系２３０と、これら各系の各部を制御する制御部２２０とを備えている。
【００４０】
また、制御部２２０には、ユーザからの操作入力を受け付ける操作部２２１と、表示素子としてＬＣＤ（Liquid Crystal Display）２２２を備えている。なお、ＬＣＤ２２２の表示画面にはタッチパネル２２３が貼付されている。これにより、ＬＣＤ２２２の表示画面に表示される情報とタッチパネル２２３とにより入力部を構成することもできるようにされている。
【００４１】
そして、制御部２２０は、図示しないが、ＣＰＵ（Central Processing Unit）、ＲＯＭ（Read only Memory）、ＲＡＭ（Random Access Memory）、ＥＥＰＯＭ（Electrically Erasable and Programmable ROM）等がＣＰＵバスを通じて接続されて形成されたマイクロコンピュータである。
【００４２】
ここで、ＣＰＵは、制御の主体となるものであり、ＲＯＭやＥＥＰＲＯＭに記憶されているプログラムを読み出して実行し、各部への制御信号を形成し、これを関係する各部に供給したり、また、各部からのデータを受信してこれを処理したりする。ＲＯＭは、上述したように、ＣＰＵによって実行される種々の処理プログラムや処理に必要となるデータを予め記憶したものである。
【００４３】
ＲＡＭは、各種の処理において、処理の途中結果を一時記憶するなど、主に作業領域として用いられるものである。また、ＥＥＰＲＯＭは、書き換え可能ないわゆる不揮発性メモリであり、電源が落とされても保持しておくべきデータ、例えば、機能追加のための新たなプログラム、各種設定パラメータなどのほか、例えば、電話帳データなど、種々の情報を記憶保持するものである。
【００４４】
次に、通信系２１０について説明する。通信系２１０は、電話通信用の送受信アンテナ２１１、送受信部２１２、コーデック２１３、受話器としてのスピーカ２１４、送話器としてのマイクロホン２１５からなっている。電話通信用の送受信アンテナ２１１は、基地局からの信号を受信したり、自機からの送信信号を送信したりする。
【００４５】
送受信部２１２は、図示しないが、アンテナ共用器、受信回路、送信回路、局発部（周波数シンセサイザ）、ベースバンド処理部等を備えたものである。送受信部２１２は、制御部２２０の制御に応じて、送受信アンテナ２１１を通じて受信した信号を復調し、Ａ／Ｄ（Analog/Digital）変換し、制御データと音声データとを分離する。送受信部２１２で分離された制御データは制御部２２０に供給されて自機の制御等に用いられ、音声データはコーデック２１３に供給される。
【００４６】
コーデック２１３は、送受信部２１２からの音声データ（デジタル信号）をＤ／Ａ（Digital/Analog）変換してアナログ音声信号を形成し、これをスピーカ２１４に供給する。これにより、通話の相手先から送信されていた音声信号に応じた音声を、受話器としてのスピーカ２１４から放音して、ユーザが聴取することができるようにされる。
【００４７】
一方、携帯電話端末２００のユーザの音声（話音声）は、送話器としてのマイクロホン２１５を通じて集音されて、電気信号（アナログ信号）に変換され、コーデック２１３に供給される。コーデック２１３は、マイクロホン２１５からの音声信号をＡ／Ｄ変換し、デジタル信号となった音声データを送受信部２１２に供給する。
【００４８】
送受信部２１２は、コーデック２１３からの音声データに制御部２２０からの例えば制御データ等の必要なデータを付加し、Ｄ／Ａ変換してアナログの送信用信号を形成し、これを変調したり、増幅したりして、実際に送信する送信信号を形成する。そして、送受信部２１２は、形成した当該送信信号を送受信アンテナ２１１を通じて送信する。
【００４９】
このようにして、通信系２１０の機能により、目的とする相手先との間で通話を行うことができるようにされる。なお、この実施の形態の携帯電話端末２００は、通話だけでなく、インターネットに接続して目的とするＷｅｂページを閲覧したり、電子メールの送受信をしたりすることもできる。
【００５０】
この場合には、送受信アンテナ２１１と送受信部２１２とを通じて、制御部２２０が必要な情報の送受を行うようにすることによって、Ｗｅｂページの閲覧や電子メールの送受信を行うことができるようにされる。
【００５１】
次に、音声再生系２３０について説明する。音声再生系２３０は、メモリ２３１、近距離無線部２３２、近距離無声通信用の送受信アンテナ２３３、Ｄ／Ａ（Digital/Analog）変換器２３４、アンプ２３５、ラウドスピーカ２３６を備えている。
【００５２】
メモリ２３１は、音楽データ等の音声データが格納されるものである。メモリ２３１には、例えば、インターネット上のサーバ装置からダウンロードしてきた音楽データや、図示しない外部入出力端子を通じてパーソナルコンピュータなどの外部機器から供給された音楽データ等が、制御部２２０を通じて記録される。
【００５３】
制御部２２０によりメモリ２３１から読み出された音楽データ等の音声データは、制御部２２０において例えば必要な情報等が付加されるなどの所定の処理が行われ、これが近距離無線部２３２、送受信アンテナ２３３を通じて、音声再生用装置１００に送信される。
【００５４】
これにより、上述した音声再生用装置１００において、携帯電話端末２００からの再生音声信号が受信される。そして、上述もしたように、近距離通信部２からの音声信号を出力するように選択されているときには、これを接続端子に接続されたイヤホンを通じて聴取することができるようにされる。
【００５５】
また、制御部２２０によりメモリ２３１から読み出された音楽データ等の音声データ等に応じた音声を自機のラウドスピーカ２３６から放音することもできるようにされる。この場合、制御部２２０によりメモリ２３１から読み出された音声データは、制御部２２０において再生用の音声データに変換された後、Ｄ／Ａ変換器２３４でアナログ音声信号に変換され、アンプ２３５を通じてラウドスピーカ２３６に供給される。
【００５６】
また、詳しくは後述するが、携帯電話端末２００は、送受信アンテナ２３３、近距離通信部２３２を通じて受信した音声データを、制御部２２０、Ｄ／Ａ変換器２３４、アンプ２３５、ラウドスピーカ２３６を通じて再生することもできるようになっている。
【００５７】
このように、音声再生用装置１００は、携帯電話端末２００からの再生音声信号の供給を受けて、これを再生することができると共に、自機が有するＦＭ受信部３において受信したＦＭ放送信号を再生することもできるものである。すなわち、図１に示した構成とすることで、音声再生用装置１００の接続端子５に接続されるイヤホンのケーブルは、ＦＭ受信部３のアンテナとして機能させることが可能となる。
【００５８】
そして、近距離無線通信機能は備えるが、ＦＭ受信部は備えない携帯電話端末などの機器に対して、ＦＭ放送信号の受信機能を提供するようにすることができるようにされる。そのために携帯電話端末などの端末機器側において必要な変更は、特に必要ないか、あっても、せいぜいソフトウェアのインストール程度である。
【００５９】
このため、音声再生用装置１００の利用に際して、携帯機器側に必要となるソフトウェアのインストールなどはユーザの手で手軽に実行することができる。したがって、既存の近距離無線通信機能を内蔵した携帯機器の大半において、この発明の音声再生用装置１００の利用が可能とされる。
【００６０】
また、音声再生用装置（無線ヘッドセット）のようなアクセサリの使用を前提とした携帯端末の開発においては、全ての携帯端末のユーザが必ずしも必要としないＦＭ放送の受信用のハードウェアを携帯端末に内蔵する必要がなくなる。このため、携帯端末の体積やコスト等の面で有利になり、ユーザに不必要な機能を強いるというケースも減らすことができる。
【００６１】
次に、この発明の音声再生用装置、システム、プログラムについて具体的に説明する。そして、以下においては、まず、ＦＭ放送の受信機能は、音声再生用装置１００内で完結し、携帯電話端末２００はＦＭ放送の受信機能には一切関与しない２つの実施の形態を説明する。
【００６２】
この後、音声再生用装置１００と携帯電話端末２００との間で、相互に必要な情報のやり取りを行うことにより、ＦＭ放送の受信機能を備えない携帯電話端末２００がＦＭ放送の受信機能を備えているかのように動作する１つの実施の形態を説明する。
【００６３】
［第１の実施の形態］
以下に説明する第１の実施の形態は、ＦＭ放送の受信機能は音声再生用装置１００内で完結し、携帯電話端末２００はＦＭラジオ放送の受信機能には一切関与しない場合の最初の実施形態である。
【００６４】
［機器の構成例］
図２は、この第１の実施の形態の音声再生用装置１００Ａを説明するためのブロック図である。図２において、音声再生用装置１００Ａに音声信号を供給する携帯電話端末２００Ａは、図１に示した携帯電話端末２００と同様に構成されるものである。しかし、説明を簡単にするため、図２において携帯電話端末２００Ａは、音声再生に関連する部分のみを示し、その他の部分は省略している。
【００６５】
そして、図２において音声再生用装置１００Ａは、図１に示した音声再生用装置１００に対応する。すなわち、この第１の実施の形態の音声再生用装置１００Ａもまた、近距離無線通信用の送受信アンテナ１と、近距離無線部２と、ＦＭ受信部３と、アンプ（増幅回路）４と、イヤホン等の接続端子５と、操作部６とを備えている。
【００６６】
近距離無線通信用の送受信アンテナ１及び近距離無線部２は、上述もしたように、例えばＢｌｕｅｔｏｏｔｈ規格に準拠して、近隣の相手先、この例の場合には携帯電話端末２００Ａとの間で無線により情報の送受を行うものである。
【００６７】
ＦＭ受信部３は、上述もしたように、接続端子５に接続されるイヤホンのイヤホンケーブルにより受信されるＦＭ放送信号を受信して取り込む。すなわち、ＦＭ受信部３は、受信アンテナの一部や選局回路や復調回路など、ＦＭ放送信号を受信して、これから再生用の音声信号を復調して出力するまでの全ての回路を含むものである。
【００６８】
なお、ＦＭ受信部３で受信されるＦＭ放送信号は、ＦＭ放送信号のほか、ＶＨＦ帯のテレビ放送信号に含まれるＦＭ音声信号をも受信、選局して復調することができるものである。
【００６９】
また、アンプ４は、これに供給される音声信号を増幅して、接続端子５に接続されたイヤホン１５０に供給するものである。また、操作部６は、ユーザからの操作入力を受け付けて、これに応じた指示情報を関連する各部に供給するものである。
【００７０】
なお、詳しくは後述するが、この第１の実施の形態の音声再生用装置１００Ａにおける操作部６は、複数のボタンスイッチ、ダイヤル、スライドキー、いわゆるジョグダイヤルなどの種々の操作手段を備えたものである。ここでダイヤルは回動操作されるものであり、スライドキーは摺動操作されるものである。また、静電容量検出による操作でもよい。
【００７１】
そして、この第１の実施の形態の音声再生用装置１００Ａの場合には、ＡＣＰＵ（Application Central Processing Unit）７と、Ｄ／Ａ変換器８と、スイッチ回路９とが設けられている。
【００７２】
ＡＣＰＵ７は、操作部６を通じて受け付けた操作入力に応じて近距離無線部２を制御する。また、ＡＣＰＵ７は、近距離無線部２を通じて受信した音声データから音声データとその他のデータ（制御データ等）を分離したり、音声データがデータ圧縮されたものである場合には、圧縮解凍処理を行ったり、音声データに関する処理も行う。
【００７３】
Ｄ／Ａ変換器８は、近距離無線部２を通じて受信して処理された音声データ（デジタル音声信号）をアナログ音声信号に変換する。スイッチ回路９は、ＦＭ受信部３において受信されて復調されたＦＭ放送信号に応じた音声信号を出力するか、近距離無線部２を通じて受信され、Ｄ／Ａ変換部８でＤ／Ａ変換された音声信号を出力するかを切り換える。
【００７４】
なお、図２に示した音声再生用装置１００Ａにおいて、点線で囲んで示した近距離無線部２、ＦＭ受信部３、ＡＣＰＵ７、Ａ／Ｄ変換器８が、１チップにパッケージされて形成された集積回路の構成とされた部分である。
【００７５】
そして、この第１の実施の形態の音声再生用装置１００Ａにおいて、スイッチ回路９は、操作部６を通じて受け付けたユーザからの操作入力に応じて直接的に切り換えられるものである。アンプ４もまた、操作部６を通じて受け付けたユーザからの操作入力に応じて直接的に音量の調整を行うことができるものである。さらに、ＦＭ受信部３もまた、操作部６を通じて受け付けたユーザからの操作入力に応じて直接的に選局することができるものである。
【００７６】
また、後述もするが、操作部６を通じて受け付けたユーザからの操作入力が、再生されている音声データについての、再生停止、早送り、早戻しなどであったとする。この場合、ＡＣＰＵ７が、操作部６からのユーザの操作入力に応じた指示信号に基づいて、再生停止、早送り、早戻しなどの要求信号（コマンド）を形成し、これを近距離無線部２を通じて携帯電話端末２００Ａに送信する。これにより、携帯電話端末２００Ａ側における音声データの生成に関する基本的な制御を行うようにすることができる。
【００７７】
そして、図２に示した音声再生用装置１００Ａの場合、ＦＭ受信部３、アンプ４、スイッチ回路９は、操作部６を通じて受け付けた操作入力に応じて直接に調整や切り換えが可能なものである。すなわち、それらを制御するためのソフトウェアなどは必要なく、各部を構成するハードウェアだけで最も簡単に構成することができるものである。
【００７８】
［操作方法と機器の動作］
次に、この第１の実施の形態の音声再生用装置１００Ａの操作方法と動作について説明する。図３は、この第１の実施の形態の音声再生用装置１００Ａの外観の一例を示す図である。図３に示すように、この第１の実施の形態の音声再生用装置１００Ａは、電源のオン／オフスイッチ６Ａを備えている。また、音声再生用装置１００Ａは、携帯電話端末２００Ａからの提供される音声信号の再生時において、携帯電話端末２００Ａの制御用の操作キーとして、早送りキー６Ｂ、早戻しキー６Ｃ、再生キー及び停止キー６Ｄを備えている。
【００７９】
さらに、音声再生用装置１００Ａは、モード切り換えスイッチ６Ｅを備えている。このモード切り換えスイッチ６Ｅは、押下操作されるたびに、ＦＭラジオモードとヘッドセットモードとを切り換えるものであり、当該スイッチ６Ｅに対する操作により、スイッチ回路９が切り換えられる。
【００８０】
ここで、ＦＭラジオモードは、ＦＭ受信部３を通じて受信したＦＭ放送信号を再生するモードである。また、ヘッドセットモードは、近距離無線通信部２を通じて受信した携帯電話端末２００Ａからの音声信号を再生する従来からの音声再生モードである。
【００８１】
また、音声再生用装置１００Ａは、音量の調整ダイヤル６Ｇと、ＦＭラジオモード時に使用される選局ダイヤル６Ｆを備えている。なお、選局表示部６Ｈは、選局ダイヤル６Ｆの回動操作に応じて図３に示した矢印方向に移動するメモリ部を備え、ＦＭ受信部３における選局状態を示すものである。
【００８２】
なお、ここでは、音量の調整ダイヤル６Ｇと選局ダイヤル６Ｆとを備えた構成としているが、これは一例であり、これらを摺動操作されるスライドキーの構成としたり、回動操作と押下操作とが可能ないわゆるジョグダイヤルの構成としたりするなどのことももちろん可能である。また、静電容量検出による操作でもよい。
【００８３】
次に、この第１の実施の形態の音声再生用装置１００Ａを用いてＦＭ放送や携帯電話端末２００Ａから提供される再生音声を聴取する場合の処理について説明する。まず、音声再生用装置１００Ａを用いてＦＭ放送を聴取する場合について説明する。
【００８４】
電源のオン／オフスイッチ６Ａを操作して電源を投入した後、ユーザは、モード切り換えスイッチ６Ｅを操作して、音声再生用装置１００ＡをＦＭラジオモードにする。この場合、モード切り換えスイッチ６Ｅの操作に応じて、スイッチ回路９がＦＭ受信部３側に切り換えられる。これにより、接続端子５に接続されたイヤホンのイヤホンケーブルを通じて受信されたＦＭ放送信号が、ＦＭ受信部３に供給される。
【００８５】
ＦＭ受信部３は、これに供給されるＦＭ放送信号を受信して、選局し、さらに復調して、当該ＦＭ放送信号に応じた音声信号を形成し、これをスイッチ回路９を通じてアンプ４に供給する。アンプ４は、これに供給された音声信号を増幅して、接続端子５に接続されたイヤホン１５０に供給する。
【００８６】
この場合、音量調整ダイヤル６Ｇを回動操作することにより音量の調整を行うことができ、選局ダイヤル６Ｆを回動操作することにとり、ＦＭ放送信号の選局を変えることができるようにされる。このようにして、ＦＭ受信部３を通じて受信、選局されたＦＭ放送信号に応じた音声を聴取することができるようにされる。
【００８７】
次に、この第１の実施の形態の音声再生用装置１００Ａを用いて携帯電話端末２００Ａからの提供される音声信号に応じた音声を聴取する場合について説明する。まず、ユーザは、モード切り換えスイッチ６Ｅを操作して、音声再生用装置１００Ａをヘッドセットモードにする。この場合、モード切り換えスイッチ６Ｅの操作に応じて、スイッチ回路９がＤ／Ａ変換器８側に切り換えられる。これにより、近距離無線部２、Ｄ／Ａ変換器８、アンプ４に至る経路が接続される。
【００８８】
そして、ユーザは、携帯電話端末２００Ａに対して、目的とする例えば音楽データの再生を開始させるようにする指示を、操作部２２１を通じて行う。これにより、携帯電話端末２００Ａの制御部２２０は、メモリ２３１から目的とする音声データを読み出し、これを近距離無線部２３２、送受信アンテナ２３３を通じて送信してくる。
【００８９】
音声再生用装置１００Ａでは、送受信アンテナ１、近距離無線部２を通じて携帯電話端末２００Ａからの音声データを受信する。そして、近距離無線部２は、ＡＣＰＵ７の機能をも用いて、受信した音声データが例えばデータ圧縮されているものである場合には圧縮解凍するなどの処理を行って再生用の音声データを形成し、これをＤ／Ａ変換器８に供給する。
【００９０】
Ｄ／Ａ変換器８は、近距離無線部２からの再生用の音声データをアナログの音声信号に変換し、これをスイッチ回路９を通じてアンプ４に供給する。アンプ４は、これに供給された音声信号を増幅して、接続端子５に接続されたイヤホン１５０に供給する。このようにして、近距離無線部２を通じて受信する携帯電話端末２００Ａからの再生音声データの応じた音声を聴取することができるようにされる。
【００９１】
この場合、音量調整ダイヤル６Ｇを回動操作することにより音量の調整を行うことができる。また、ヘッドセットモード時においては、早送りキー６Ｂ、早戻しキー６Ｃ、再生キー及び停止キー６Ｄを操作することにより、携帯電話端末２００Ａにおける音声データの再生処理を制御することができる。
【００９２】
すなわち、ＡＣＰＵ７は、早送りキー６Ｂ、早戻しキー６Ｃ、再生キー及び停止キー６Ｄを通じて受け付けた操作入力に応じた要求信号（コマンド）を形成し、これを近距離無線部２、送受信アンテナ１を通じて携帯電話端末２００Ａに送信する。
【００９３】
携帯電話端末２００Ａは、送受信アンテナ２３３、近距離無線部２３２を通じて音声再生用装置１００Ａからの要求信号（コマンド）を受信して制御部２２０に供給する。これにより、制御部２２０は、受信した要求信号に応じて、メモリ２３１から目的とする音声データの読み出しの開始、読み出しの停止、早送り、早戻しなどの各処理を実行することができるようにされる。
【００９４】
［音声再生用装置１００Ａの動作のまとめ］
次に、この第１の実施の形態の音声再生用装置１００Ａの動作についてまとめる。図４は、この第１の実施の形態の音声再生用装置１００Ａの動作を説明するためのフローチャートである。
【００９５】
上述もしたように、この第１の実施の形態の音声再生用装置１００Ａにおいては、ほとんどソフトウェア制御は行われない。そのため、音声再生用装置１００Ａの動作をフローチャートに示すことは基本的に無理がある。しかし、音声再生用装置１００Ａの特徴を示すために、あえてその動作を示すようにしたのが、図４のフローチャートである。
【００９６】
上述もしたように、電源のオン／オフスイッチ６Ａを操作して電源を投入すると、音声再生用装置１００Ａは、操作入力受付可能状態となり（ステップＳ１０１）、操作部６を通じての各種の操作入力を行うことができるようにされる。
【００９７】
ここで、再度、電源のオン／オフスイッチ６Ａが操作され、電源がオフにされると（ステップＳ１０２）、各部への電源の供給が停止され（ステップＳ１０３）、音声再生用装置１００Ａは非動作状態となる。
【００９８】
また、電源をオフにする操作以外の操作がされた場合には、関係する回路部がユーザからの操作に応じた処理を実行する（ステップＳ１０４）。すなわち、ステップＳ１０４においては、モード切り換えスイッチ６Ｅが操作された場合には、スイッチ回路９の切り換えが行われる。また、音量の調整ダイヤル６Ｇが操作された場合には、アンプ４の利得が変えられ、音量の調整がなされる。
【００９９】
また、ステップＳ１０４においては、ＦＭラジオモード時に選局ダイヤル６Ｆが操作された場合には、ＦＭ受信部３における選局が変えられる。また、早送りキー６Ｂ、早戻しキー６Ｃ、再生キー及び停止キー６Ｄが操作された場合には、ＡＣＰＵ７が操作に応じた要求信号を形成し、近距離無線部２を通じて携帯電話端末２００Ａに送信する処理が成される。そして、ステップＳ１０４の処理ののち、ステップＳ１０１からの処理が行うようにされ、音声再生用装置１００Ａに対する操作入力を行うことができるようにされる。
【０１００】
このように、この第１の実施の形態の音声再生用装置１００Ａの場合には、ＦＭ放送信号の受信機能は、音声再生用装置１００Ａ内で完結し、携帯電話端末２００ＡはＦＭ放送信号の受信機能には一切関与しない。
【０１０１】
しかし、音声再生用装置１００Ａを通じて、携帯電話端末２００Ａからの再生音声を聴取したり、ＦＭラジオ放送の放送番組を聴取したりすることができる。すなわち、音声再生用装置１００Ａを用いることにより、近距離無線通信により送信される音声信号に応じた音声を聴取できるようにすると共に、ＦＭ放送信号に応じた音声の聴取もできる。しかも、音声再生用装置１００Ａは非常に簡単な構成とすることができる。
【０１０２】
［第２の実施の形態］
次に、この発明の第２の実施の形態について説明する。以下に説明する第２の実施の形態は、ＦＭラジオ放送の受信機能は音声再生用装置１００内で完結し、携帯電話端末２００はＦＭラジオ放送の受信機能には一切関与しない場合の２番目の実施形態である。
【０１０３】
［機器の構成例］
図５は、第２の実施の形態の音声再生用装置１００Ｂを説明するためのブロック図である。図５において、音声再生用装置１００Ｂに音声信号を供給する携帯電話端末２００Ｂは、図１に示した携帯電話端末２００と同様に構成されるものである。このため、この第２の実施の形態においても、説明を簡単にするため、図５において携帯電話端末２００Ｂは、音声再生に関連する部分のみを示し、その他の部分は省略している。
【０１０４】
そして、図５において音声再生用装置１００Ｂは、図１に示した音声再生用装置１００に対応するものであり、図２に示した第１の実施の形態の音声再生用装置１００Ａとほぼ同様の構成要素を有するものである。
【０１０５】
すなわち、この第２の実施の形態の音声再生用装置１００Ｂは、図５に示したように、送受信アンテナ１、近距離無線部２、ＦＭ受信部３ａ、アンプ４ａ、接続端子５、操作部６ａ、ＡＣＰＵ７ａ、Ｄ／Ａ変換器８、スイッチ回路９ａ、ＬＣＤ１０を備えている。
【０１０６】
ここで、図２に示した第１の実施の形態の音声再生用装置１００Ａと同じ参照符号を付した送受信アンテナ１、近距離無線部２、接続端子５、Ｄ／Ａ変換器８のそれぞれは、第１の実施の形態の音声再生用装置１００Ａの対応する部分と同様に構成されたものである。
【０１０７】
また、ＦＭ受信部３ａ、アンプ４ａ、操作部６ａ、ＡＣＰＵ７ａ、スイッチ回路９ａ、のそれぞれは、図２に示した第１の実施の形態の音声再生用装置１００ＡのＦＭ受信部３、アンプ４、操作部６、ＡＣＰＵ７、スイッチ回路９と同様の機能を実現するものである。
【０１０８】
このため、図５に示した音声再生用装置１００Ｂにおいて、送受信アンテナ１、近距離無線部２、ＦＭ受信部３ａ、アンプ４ａ、接続端子５、操作部６、ＡＣＰＵ７ａ、Ｄ／Ａ変換器８、スイッチ回路９ａのそれぞれの基本的な機能の説明は、上述した第１の実施の形態の説明と重複するので省略する。
【０１０９】
また、この第２の実施の形態の音声再生用装置１００Ｂは、ＬＣＤ１０を備えている。ＬＣＤ１０は、ＡＣＰＵ７ａにより制御され、種々の文字情報、記号情報、図形情報等の表示情報を表示することができるようにされている。
【０１１０】
そして、この第２の実施の形態の音声再生用装置１００Ｂにおいて、サフィックス「ａ」を付して示したＦＭ受信部３ａ、アンプ４ａ、スイッチ回路９ａのそれぞれは、ＡＣＰＵ７ａによって制御される構成とされている。このため、この第２の実施の形態の音声再生用装置１００ＢのＡＣＰＵ７ａは、図２に示した第１の実施の形態の音声再生用装置１００ＡのＡＣＰＵ７とは若干異なり、操作部６ａを通じて受け付ける操作入力に応じて、関連する各部を制御する機能を有している。
【０１１１】
また、操作部６ａは、ユーザからの種々の操作入力を受け付けるものである。しかし、操作部６ａは、第１の実施の形態の操作部６のように操作に応じた操作信号を関係する各部に供給するものではない。操作部６ａは、受け付けたユーザからの操作入力に応じた電気信号を形成し、これをＡＣＰＵ７ａに供給することができるものである。
【０１１２】
なお、図５に示した第２の実施の形態の音声再生用装置１００Ａにおいて、点線で囲んで示した近距離無線部２、ＦＭ受信部３ａ、ＡＣＰＵ７ａ、Ａ／Ｄ変換器８が、１チップにパッケージされて形成された集積回路の構成とされた部分である。
【０１１３】
そして、この第２の実施の形態の音声再生用装置１００Ｂの場合には、ＦＭ受信部３ａ、アンプ４ａ、スイッチ回路９ａのそれぞれを、ＡＣＰＵ７ａを通じて制御する構成としている。すなわち、ＦＭ受信部３ａ、アンプ４ａ、スイッチ回路９ａのそれぞれを、ソフトウェアによる制御を可能にしている。
【０１１４】
そして、この第２の実施の形態の音声再生用装置１００Ｂの場合にも、携帯電話端末２００Ｂからの再生音声を聴取したり、ＦＭラジオ放送の放送番組を聴取したりすることが簡単にできるようにしている。
【０１１５】
［操作方法と機器の動作］
次に、この第２の実施の形態の音声再生用装置１００Ｂの操作方法と動作について説明する。図６は、この第２の実施の形態の音声再生用装置１００Ｂの外観の一例を示す図である。図６に示すように、この第２の実施の形態の音声再生用装置１００Ｂは、電源のオン／オフスイッチ６ＡＡを備えている。
【０１１６】
また、音声再生用装置１００Ｂは、音量調整用のアップキー６ＣＣおよびダウンキー６ＤＤを備えている。また、音声再生用装置１００Ｂは、ＦＭラジオモード時には選局キーとして用いられ、ヘッドセットモードの時には早送りキー、早戻しキーとして用いられる左矢印キー６ＢＢ、右矢印キー６ＤＤを備えている。
【０１１７】
さらに、音声再生用装置１００Ｂは、ヘッドセットモードの時において、再生キーおよび停止キーとして用いられる操作キー６ＦＦを備えている。また、音声再生用装置１００Ｂもまた、モード切り替えスイッチ６ＧＧを備えている。このモード切り替えスイッチ６ＧＧが、スイッチ回路９ａに対する切り換え指示を入力するためのものである。
【０１１８】
この第２の実施の形態においても、ＦＭラジオモードは、ＦＭ受信部３ａを通じて受信したＦＭ放送信号を再生するモードである。また、ヘッドセットモードは、近距離無線通信２を通じて受信した携帯電話端末２００からの音声信号を再生する従来からの音声再生モードである。
【０１１９】
なお、ＬＣＤ１０の表示画面１０Ｇには、動作状態に応じた種々の情報が表示するようにされる。例えば、選択されているモード、再生中か、停止中か、音量、電池残量、放送局名、選局周波数、曲名等である。ここで、モード、音量、電池残量などは、常時表示可能である。また、放送局名、選局周波数は、ＦＭラジオモード時に表示可能な情報である。また、再生中か、停止中か、曲名等は、ヘッドセットモード時に表示可能な情報である。
【０１２０】
また、この第２の実施の形態の音声再生用装置１００Ｂにおいても、例えば、音量調整キーや選局キーなどを上述した第１の実施の形態の音声再生用装置１００Ａの場合と同様に構成するなどのことが可能である。すなわち、音量調整キーや選局キーなどを、ダイヤルとしたり、あるいは、スライドキーとしたりいわゆるジョグダイヤルとしたりするなど、種々の態様を取ることが可能である。また、静電容量検出による操作でもよい。
【０１２１】
次に、この第２の実施の形態の音声再生用装置１００Ｂを用いてＦＭ放送や携帯電話端末２００Ｂから提供される再生音声を聴取する場合の処理について説明する。まず、音声再生用装置１００Ｂを用いてＦＭ放送を聴取する場合について説明する。
【０１２２】
電源のオン／オフスイッチ６Ａを操作して電源を投入した後、まず、ユーザは、モード切り換えスイッチ６ＧＧを操作して、音声再生用装置１００ＢをＦＭラジオモードにする。この場合、ＡＣＰＵ７ａがスイッチ回路９ａを制御して、スイッチ回路９ａをＦＭ受信部３ａ側に切り換える。これにより、接続端子５に接続されたイヤホンのイヤホンケーブルを通じて受信されたＦＭ放送信号が、ＦＭ受信部３ａに供給される。
【０１２３】
ＦＭ受信部３ａは、これに供給されるＦＭ放送信号を受信して、選局し、さらに復調して、当該ＦＭ放送信号に応じた音声信号を形成し、これをスイッチ回路９ａを通じてアンプ４ａに供給する。アンプ４ａは、これに供給された音声信号を増幅して、接続端子５に接続されたイヤホン１５０に供給する。
【０１２４】
この場合、アップキー６ＣＣおよびダウンキー６ＤＤを操作すると、これに応じてＡＣＰＵ７ａがアンプ４ａの利得を制御し、音量の調整を行うことができる。また、この時、左矢印キー６ＢＢ、右矢印キー６ＤＤを操作すると、これに応じてＡＣＰＵ７ａがＦＭ受信部３ａの選局回路（局発部）を制御し、ＦＭ放送信号の選局を変えることができる。このようにして、ＦＭ受信部３ａを通じて受信、選局されたＦＭ放送信号に応じた音声を聴取することができるようにされる。
【０１２５】
次に、この第２の実施の形態の音声再生用装置１００Ｂを用いて携帯電話端末２００Ｂからの提供される再生音声を聴取する場合について説明する。まず、ユーザは、モード切り換えスイッチ６ＧＧを操作して、音声再生用装置１００Ｂをヘッドセットモードにする。
【０１２６】
この場合、ＡＣＰＵ７ａがスイッチ回路９ａを制御して、スイッチ回路９ａをＤ／Ａ変換器８側に切り換える。これにより、近距離無線部２、Ｄ／Ａ変換器８、アンプ４ａに至る経路が接続される。
【０１２７】
そして、ユーザは、携帯電話端末２００Ｂに対して、目的とする例えば音楽データの再生を開始させるようにする指示を、操作部２２１を通じて行う。これにより、携帯電話端末２００Ｂの制御部２２０は、メモリ２３１から目的とする音声データを読み出し、これを近距離無線部２３２、送受信アンテナ２３３を通じて送信してくる。
【０１２８】
音声再生用装置１００Ｂでは、送受信アンテナ１、近距離無線部２を通じて携帯電話端末２００Ｂからの音声データを受信する。そして、近距離無線部２は、ＡＣＰＵ７ａの機能をも用いて、受信した音声データが例えばデータ圧縮されているものである場合には圧縮解凍するなどの処理を行って再生用の音声データを形成し、これをＤ／Ａ変換器８に供給する。
【０１２９】
Ｄ／Ａ変換器８は、近距離無線部２からの再生用の音声データをアナログの音声信号に変換し、これをスイッチ回路９ａを通じてアンプ４ａに供給する。アンプ４は、これに供給された音声信号を増幅して、接続端子５に接続されたイヤホン１５０に供給する。このようにして、近距離無線部２を通じて受信する携帯電話端末２００Ｂからの再生音声データに応じた音声を聴取することができる。
【０１３０】
この場合、アップキー６ＣＣおよびダウンキー６ＤＤを操作すると、これに応じてＡＣＰＵ７ａがアンプ４ａの利得を制御し、音量の調整を行うことができる。また、この時、左矢印キー６ＢＢ、右矢印キー６ＤＤ、操作キー６ＦＦを操作すると、携帯電話端末２００Ｂにおける音声データの再生処理を制御することができる。
【０１３１】
すなわち、ＡＣＰＵ７ａは、左矢印キー６ＢＢ、右矢印キー６ＤＤ、操作キー６ＦＦを通じて受け付けた操作入力に応じた要求信号（コマンド）を形成し、これを近距離無線部２、送受信アンテナ１を通じて携帯電話端末２００Ｂに送信する。
【０１３２】
携帯電話端末２００Ｂは、送受信アンテナ２３３、近距離無線部２３２を通じて音声再生用装置１００Ａからの要求信号（コマンド）を受信して制御部２２０に供給する。これにより、制御部２２０は、受信した要求信号に応じて、メモリ２３１から目的とする音声データの読み出しの開始、読み出しの停止、早送り、早戻しなどの各処理を実行することができるようにされる。
【０１３３】
［音声再生用装置１００Ｂの動作のまとめ］
次に、この第２の実施の形態の音声再生用装置１００Ｂの動作についてまとめる。図７は、この第２の実施の形態の音声再生用装置１００Ｂの動作を説明するためのフローチャートである。
【０１３４】
上述もしたように、この第２の実施の形態の音声再生用装置１００Ｂにおいては、操作部６ａを通じて受け付けるユーザからの操作入力に応じて、ＡＣＰＵ７ａが各部を制御することにより、再生音声の聴取を行うことができるようにされる。
【０１３５】
このため、この第２の音声再生用装置１００Ｂの動作は、音声再生用装置１００ＢのＡＣＰＵ７ａの動作としてまとめるようにしたものが、図７のフローチャートである。すなわち、電源のオン／オフスイッチ６ＡＡが操作され、音声再生用装置１００Ｂに電源が投入されると、図７に示す処理がＡＣＰＵ７ａにおいて実行される。
【０１３６】
電源が投入されると、ＡＣＰＵ７ａは、操作部６ａを通じてユーザからの操作入力を受け付ける（ステップＳ２０１）。ステップＳ２０１において操作入力を受け付けると、ＡＣＰＵ７ａは、受け付けた操作入力は、電源のオン／オフキー６ＡＡを通じて電源をオフにする操作か否かを判断する（ステップＳ２０２）。
【０１３７】
ステップＳ２０２の判断処理において、受け付けた操作入力は電源をオフにする操作である判断したときには、ＡＣＰＵ７ａは、各部への電力の供給を停止するようにし（ステップＳ２０３）、この図７に示す処理を終了する。これにより、音声再生用装置１００Ｂは非動作状態となる。
【０１３８】
また、ステップＳ２０２の判断処理において、受け付けた操作入力は電源をオフにする操作ではないと判断したときには、ＡＣＰＵ７ａは、受け付けた操作入力は、モード切り替えスイッチ６ＧＧによるモード切り換え操作か否かを判断する（ステップＳ２０４）。
【０１３９】
ステップＳ２０４の判断処理において、受け付けた操作入力は、モード切り換え操作ではないと判断したときには、ＡＣＰＵ７ａは、各部を制御して受け付けた操作入力に応じた処理を実行する（ステップＳ２０５）。
【０１４０】
なお、ステップＳ２０５においては、音量調整や、ＦＭラジオモード時における選局処理、ヘッドセットモード時における再生、停止、早送り、早戻しなどを携帯電話端末２００Ｂに指示する処理などが行われる。そして、ステップＳ２０５の処理の後においては、ステップＳ２０１からの処理が繰り返され、さらに操作入力を行うことができるようにされる。
【０１４１】
また、ステップＳ２０４の判断処理において、受け付けた操作入力はモード切り換え操作であると判断したときには、ＡＣＰＵ７ａは、受け付けた操作入力はＦＭラジオモードへの切り換え操作か否かを判断する（ステップＳ２０６）。
【０１４２】
ステップＳ２０６の判断処理において、受け付けた操作入力はＦＭラジオモードへの切り換え操作であると判断したときには、ＡＣＰＵ７ａは、スイッチ回路９ａをＦＭ受信部３ａからの音声信号をアンプ４ａに供給するように切り換える（ステップＳ２０７）。
【０１４３】
これにより、ＦＭ受信部３ａを通じて受信、選局して復調したＦＭ放送信号に応じた音声を再生して聴取することができるようにされる。この後、ステップＳ２０１からの処理が繰り返され、さらに操作入力を行うことができるようにされる。
【０１４４】
また、ステップＳ２０６の判断処理において、受け付けた操作入力はＦＭラジオモードへの切り換え操作ではないと判断したときには、ＡＣＰＵ７ａは、スイッチ回路９ａをＤ／Ａ変換器９ａからの音声信号をアンプ４ａに供給するように切り換える（ステップＳ２０８）。
【０１４５】
これにより、近距離無線部２を通じて受信する携帯電話端末２００Ｂからの音声データに応じた音声を再生して聴取することができるようにされる。この後、ステップＳ２０１からの処理が繰り返され、さらに操作入力を行うことができるようにされる。
【０１４６】
このように、この第２の実施の形態の音声再生用装置１００Ｂの場合には、第１の実施の形態の音声再生用装置１００Ａの場合と同様に、ＦＭラジオ放送の受信機能は、音声再生用装置１００Ｂ内で完結し、携帯電話端末２００ＢはＦＭラジオ放送の受信機能には一切関与しない。
【０１４７】
しかし、音声再生用装置１００Ｂを通じて、携帯電話端末２００Ｂからの再生音声を聴取したり、ＦＭラジオ放送の放送番組を聴取したりすることができる。すなわち、音声再生用装置１００Ｂを用いることにより、近距離無線通信により送信される音声信号に応じた音声を聴取できるようにすると共に、ＦＭ放送の放送信号に応じた音声の聴取もできる。
【０１４８】
そして、この場合、ユーザの操作入力に応じて、ＡＣＰＵ７ａが各部を制御する構成となっているので、ソフトウェアにより種々の処理が行うようにされ、操作キーを比較的に自由に設定することができるなど、開発上の柔軟性を確保することができる。また、ユーザの使い勝手の向上を図ることも可能である。また、ＡＣＰＵ７ａの制御により、必要な情報をＬＣＤ１０の表示画面に表示してユーザに提供するなどのこともできる。
【０１４９】
［第３の実施の形態］
次に、この発明の第３の実施の形態について説明する。以下に説明する第３の実施の形態は、音声再生用装置１００と携帯電話端末２００との間で、相互に必要な情報のやり取りを行うことにより、ＦＭ受信部を備えない携帯電話端末２００があたかもＦＭ受信部を備えているかのように動作することができるものである。
【０１５０】
すなわち、この第３の実施の形態において、音声再生用装置１００Ｃと携帯電話端末２００Ｃとからなるシステムが、この発明の音声再生システムの一実施の形態が適用されたものである。また、この第３の実施の形態の音声再生用装置１００Ｃが、この発明の音声再生用装置の一実施の形態が適用されたものである。
【０１５１】
また、この第３の実施の形態の音声再生用装置１００Ｃで実行されるプログラムが、この発明の音声再生用装置の制御プログラムの一実施の形態が適用されたものである。さらに、この第３の実施の形態の携帯電話端末２００Ｃで実行されるプログラムが、この発明の音声再生用装置利用プログラムの一実施の形態が適用されたものである。
【０１５２】
［機器の構成例］
図８は、第３の実施の形態の音声再生用装置１００Ｃおよび携帯電話端末２００Ｃを説明するためのブロック図である。図８において、音声再生用装置１００Ｃに音声信号を供給する携帯電話端末２００Ｃは、図１に示した携帯電話端末２００とほぼ同様に構成されるものである。
【０１５３】
このため、この第２の実施の形態においても、説明を簡単にするため、図８において携帯電話端末２００Ｃは、その主要部分のみを示し、その他の部分は省略している。なお、この第３の実施の形態の携帯電話端末２００Ｃにおいては、図８において２重線で示したＦＭラジオアプリケーション２２４を、制御部２２０において実行することができるものである。
【０１５４】
なお、ＦＭラジオアプリケーション２２４の詳細は後述するが、簡単には、音声再生用装置１００ＣのＦＭラジオ受信機能を、携帯電話端末２００Ｃが有する機能のようにして利用できるようにするためのソフトウェア（プログラム）である。
【０１５５】
そして、図８において音声再生用装置１００Ｃは、図１に示した音声再生用装置１００に対応するものであり、図５に示した第２の実施の形態の音声再生用装置１００Ｂとほぼ同様の構成要素を有するものである。
【０１５６】
このため、図８に示した第３の実施の形態の音声再生用装置１００Ｃにおいて、図５に示した第２の実施の形態の音声再生用装置１００Ｂと同様に構成される部分には、同じ参照符号を付し、その部分の詳細な説明については省略する。
【０１５７】
そして、この第３の実施の形態の音声再生用装置１００Ｃもまた、携帯電話端末２００Ｃからの再生音声を聴取したり、ＦＭラジオ放送の放送番組を聴取したりすることができるものである。すなわち、音声再生用装置１００Ｃは、ＦＭ受信部３ａからのＦＭ放送信号に応じた音声を再生することができる。また、携帯電話端末２００Ｃから近距離無線により送信される音声データを、近距離無線部２を通じて受信して、これに応じた音声を再生することができる。
【０１５８】
さらに、この第３の実施の形態の場合には、音声再生用装置１００Ｃに対するユーザからの指示を、上述したＦＭラジオアプリケーション２２４を実行する携帯電話端末２００Ｃ側で受け付ける。そして、携帯電話端末２００Ｃは受け付けた音声再生用装置１００Ｃに対する指示に応じた要求信号や制御信号を形成し、これを近距離無線部２３２を通じて近距離無線通信により音声再生用装置１００Ｃに供給する。
【０１５９】
これにより、この第３の実施の形態の音声再生用装置１００Ｃの場合、携帯電話端末２００Ｃからの要求信号や制御信号に基づいて、ＡＣＰＵ７ａが、スイッチ回路９ａを切り換えたり、ＦＭ受信部３ａの選局を変えたり、アンプ４ａの利得を調整して音量を変えたりすることができるようにしている。
【０１６０】
このため、この第３の実施の形態の音声再生用装置１００ＣのＡＣＰＵ７ａにおいて実行される制御プログラムは、上述した第２の実施の形態の音声再生用装置１００ＢのＡＣＰＵ７ａで実行されるものとは異なるものである。
【０１６１】
また、音声再生用装置１００Ｃの操作部６ａは、例えば電源のオン／オフスイッチは必要であるが、第２の実施の形態の音声再生用装置１００Ｂの操作部６ａのように種々の操作キーを備えなくても済むようにされる。もちろん、第３の実施の形態の音声再生用装置１００Ｃの操作部６ａを、上述した第２の実施の形態の音声再生用装置１００Ｂの操作部６ａなどと同様に構成することも可能である。
【０１６２】
そして、この第３の実施の形態の音声再生用装置１００Ｃは、ＡＣＰＵ７ａが、スイッチ回路９ａの状態、ＦＭ受信部３ａの選局の状態、アンプ４ａの利得の状態等を示す情報を取得し、近距離無線部２を通じて携帯電話端末２００Ｃに送信することもできるようにしている。これにより、携帯電話端末２００Ｃは、音声再生用装置１００Ｃにおける必要な情報を得て、ＬＣＤ２２２の表示画面に表示してユーザに提供するなどのことができるようにしている。
【０１６３】
また、この第３の実施の形態の音声再生用装置１００Ｃは、図８に示すように、ＦＭ受信部３ａからの音声信号の供給を受けて、これをデジタル信号に変換するＡ／Ｄ（Analog/Digital）変換器１１を備えている。これにより、ＦＭ受信部３ａが受信、選局して復調したＦＭラジオ放送番組の音声信号を、近距離無線部２ａを通じて携帯電話端末２００Ｃ側に送信することもできるようにしている。この点で、近距離無線部２ａは、第１、第２の実施の形態の音声再生用装置１００Ａ、１００Ｂの近距離無線部２とは異なっている。
【０１６４】
そして、この場合、携帯電話端末２００Ｃ側では、音声再生用装置１００ＣからのＦＭ放送信号に応じた音声信号（ＦＭ放送番組の音声信号）を、近距離無線部２３２を通じて受信する。そして、受信した音声信号を制御部２２０で再生処理し、これをＤ／Ａ変換器２３４、アンプ２３５を通じてラウドスピーカ２３６に供給して再生するなどのこともできるようにしている。
【０１６５】
このように、この第３の実施の形態の音声再生用装置１００Ｃと携帯電話端末２００Ｃとは、相互に情報の送受を行って、携帯電話端末２００Ｃを通じて、音声再生用装置１００Ｃの機能を利用することができるようにしている。
【０１６６】
［操作方法と機器の動作］
次に、この第３の実施の形態の音声再生用装置１００Ｃおよび携帯電話端末２００Ｃの操作方法と動作について説明する。上述もしたように、この第３の実施の形態の音声再生システムの場合には、携帯電話端末２００Ｃに対してユーザが操作を行うことによって、携帯電話端末２００Ｃ側から音声再生用装置１００Ｃをコントロールすることができるようにしている。このため、音声再生用装置１００Ｃに対しては電源のオン／オフ以外はほとんど操作を行うことはない。
【０１６７】
そこで、ここでは、携帯電話端末２００Ｃに対するユーザの操作と、音声再生用装置１００Ｃ、携帯電話端末２００Ｃの動作について関連付けながら説明する。まず、この第３の実施の形態の音声再生用装置１００Ｃを用いてＦＭラジオ放送を聴取する場合について説明する。
【０１６８】
図９は、この第３の実施の形態の携帯電話端末２００ＣのＬＣＤ２２２の表示画面に表示されるＦＭラジオアプリケーション実行時の操作画面（操作パネル）を説明するための図である。この第３の実施の形態の携帯電話端末２００Ｃは、いわゆるスマートホンの構成とされ、上述もしたように、表示画面の大きなＬＣＤ２２２を備えると共に、当該ＬＣＤ２２２の表示画面にはタッチパネル２２３が貼付されている。そして、ＬＣＤ２２２の表示画面に表示される表示情報とタッチパネル２２３とにより操作部としての機能を実現している。
【０１６９】
そして、この第３の実施の形態の携帯電話端末２００Ｃの場合、例えば、ＬＣＤ２２２に表示されたメニューから、ＦＭラジオアプリケーションという項目を選択すると、制御部２２０において、ＦＭラジオアプリケーション（ソフトウェア）２２４が実行される。
【０１７０】
この場合、携帯電話端末２００Ｃの制御部２２０は、まず、ＦＭ受信部３ａからの音声信号を再生するようにする制御信号を形成し、これを近距離無線部２３２、送受信アンテナ２３３を通じて音声再生用装置１００Ｃに送信する。
【０１７１】
当該制御信号は、音声再生用装置１００Ｃの送受信アンテナ１、近距離無線部２ａを通じて受信され、ＡＣＰＵ７ａに供給される。そして、ＡＣＰＵ７ａは、当該制御信号に応じて、スイッチ回路９ａをＦＭ受信部３ａ側に切り換えるように制御する。
【０１７２】
これにより、ＦＭ受信部３ａにおいて受信、選局され復調するようにされたＦＭ放送信号に応じた音声信号が、スイッチ回路９ａを通じてアンプ４ａに供給される。そして、アンプ４ａにおいて増幅された音声信号が、接続端子５を通じて、これに接続されたイヤホンに供給され、ＦＭラジオ放送番組の音声信号に応じた音声を聴取することができるようにされる。
【０１７３】
また、携帯電話端末２００Ｃの制御部２２０は、選局周波数情報、音量情報、受信、選局されているＦＭ放送信号に多重化されている楽曲名などの情報の提供要求を形成し、これを近距離無線部２３２、送受信アンテナ２３３を通じて音声再生用装置１００Ｃに送信する。
【０１７４】
当該提供要求は、音声再生用装置１００Ｃの送受信アンテナ１、近距離無線部２ａを通じて受信され、ＡＣＰＵ７ａに供給される。そして、ＡＣＰＵ７ａは、ＦＭ受信部３ａから選局周波数情報を、アンプ４ａから音量情報を、さらに受信したＦＭ放送信号に多重化されている放送されている音楽の楽曲名を示す情報などを取得する。
【０１７５】
この場合、楽曲名などの情報は、例えば、ＦＭ受信部３ａ、Ａ／Ｄ変換器１１、近距離無線部２ａという経路でＡＣＰＵ７ａに供給されるデジタル化されたＦＭ放送信号から抽出するようにされる。
【０１７６】
そして、ＡＣＰＵ７ａにより取得された選局周波数情報、音量情報、放送されている音楽の楽曲名などの情報が、近距離無線部２ａ、送受信アンテナ１を通じて音声再生用装置１００Ｃから携帯電話端末２００Ｃに送信される。
【０１７７】
携帯電話端末２００Ｃは、音声再生用装置１００Ｃからの選局周波数情報、音量情報、楽曲名などの情報を送受信アンテナ２３３、近距離無線部２３２を通じて受信して制御部２２０に供給する。制御部２２０は、上述したように、ＦＭラジオアプリケーション２２４を実行しており、受信した情報をも用いて、図９に示したＦＭラジオアプリケーション用の操作パネルをＬＣＤ２２２の表示画面に表示する。
【０１７８】
図９においてエリアＡＸは、音声再生用装置１００Ｃからの選局周波数情報に基づく放送局名の表示エリアである。携帯電話端末２００Ｃの制御部２２０の図示しないＥＥＰＲＯＭには、選局周波数情報と放送局名と当該放送局のＷｅｂページのＵＲＬ（Uniform Resource Locator）などを対応付けた放送局リストを保持している。このため、携帯電話端末２００Ｃの制御部２２０は、音声再生用装置１００Ｃからの選局周波数情報に基づいて、当該放送局リストを参照して放送局名を抽出し、これをエリアＡＸに表示する。
【０１７９】
また、図９においては、「８１．３ＭＨｚ」という表示は、音声再生用装置１００Ｃからの提供された選局周波数情報に応じた情報である。そして、当該選局周波数の表示エリアの両側に選局キーＢ１、Ｂ２が表示されている。また、選局キーＢ１、Ｂ２の下側には、より細かな選局を行う場合に用いる詳細選局キーＣ１、Ｃ２が表示されている。この詳細選局キーＣ１、Ｃ２は、２個連続する三角印として示したものである。
【０１８０】
さらに、詳細選局キーＣ１、Ｃ２の下側には、よく選局する放送局の選局周波数が対応付けられたｃｈ１〜ｃｈ６の６つのチャンネルキーからなる選局チャンネルキー群ＤＸが表示されている。
【０１８１】
これら選局キーＢ１、Ｂ２、詳細選局キーＣ１、Ｃ２、選局チャンネルキー群ＤＸに対して操作が行われると、携帯電話端末２００Ｃの制御部２２０は、操作されたキーに応じた選局制御信号を形成する。そして、制御部２２０は、形成した選局制御信号を近距離無線部２３２、送受信アンテナ２３３を通じて音声再生用装置１００Ｃに送信する。
【０１８２】
音声再生用装置１００Ｃは、送受信アンテナ１、近距離無線部２ａを通じて携帯電話端末２００Ｃからの選局制御信号を受信し、これをＡＣＰＵ７ａに供給する。そして、ＡＣＰＵ７ａは、当該選局制御信号に応じて、ＦＭ受信部３ａを制御し、選局を変更するようにする。これにより、ＦＭ受信部３ａにおいて選局周波数は変更され、受信、選局するＦＭ放送信号が変えられる。
【０１８３】
また、携帯電話端末２００ＣのＬＣＤ２２２の左端部には、ボリュームメータＥＸが表示されている。このボリュームメータＥＸ上に指などを接触させることによって、音量調整の指示入力を行うことができるようにされる。
【０１８４】
すなわち、ボリュームメータＥＸに対して操作が行われると、携帯電話端末２００Ｃの制御部２２０は、操作されたボリュームメータ上の位置に応じて音量を調整するための音量制御信号を形成する。そして、制御部２２０は、形成した音量制御信号を近距離無線部２３２、送受信アンテナ２３３を通じて音声再生用装置１００Ｃに送信する。
【０１８５】
音声再生用装置１００Ｃは、送受信アンテナ１、近距離無線部２ａを通じて携帯電話端末２００Ｃからの音量制御信号を受信し、これをＡＣＰＵ７ａに供給する。そして、ＡＣＰＵ７ａは、当該音量制御信号に応じて、アンプ部４ａの利得を制御し、音量を変更するようにする。これにより、アンプ部４ａの利得が変更され、イヤホン１５０を通じて聴取する放音音声の音量が変えられる。
【０１８６】
また、携帯電話端末２００ＣのＬＣＤ２２２の下端部には、現在再生中の音楽のタイトルなどの関連情報の表示エリアＦＸが表示されている。また、関連情報の表示エリアＦＸの右側には、スピーカマークＧＸが表示されている。
【０１８７】
そして、スピーカマークＧＸに対して操作が行われると、携帯電話端末２００Ｃの制御部２２０は、ＦＭ受信部３ａで受信しているＦＭラジオ放送番組の音声信号の提供要求を形成する。そして、制御部２２０は、形成した音声信号の提供要求を近距離無線部２３２、送受信アンテナ２３３を通じて音声再生用装置１００Ｃに送信する。
【０１８８】
音声再生用装置１００Ｃは、送受信アンテナ１、近距離無線部２ａを通じて携帯電話端末２００Ｃからの音声信号の提供要求を受信し、これをＡＣＰＵ７ａに供給する。そして、ＡＣＰＵ７ａは、ＦＭ受信部３ａにおいて受信、選局されて復調された音声信号であって、Ａ／Ｄ変換器１１においてデジタル信号に変換され、近距離無線部２ａに供給された音声データをデータ圧縮するなどの所定の処理を行って送信用の音声データを形成する。そして、当該送信用の音声データを、近距離無線部２ａ、送受信アンテナ１を通じて、携帯電話端末２００Ｃに送信する。
【０１８９】
携帯電話端末２００Ｃは、送受信アンテナ２３３、近距離無線部２３２を通じて音声再生用装置１００Ｃからの音声データを受信して、これを制御部２２０に供給する。制御部２２０は当該音声データを圧縮解凍するなどして、データ圧縮前の音声データを復元し、これをＤ／Ａ変換部２３４でアナログ音声信号に変換した後、アンプ２３５を通じてラウドスピーカ２３６に供給する。これにより、音声再生用装置１００ＣのＦＭ受信部３ａで受信、選局されたＦＭラジオ放送番組の音声信号に応じた音声を、携帯電話端末２００Ｃのラウドスピーカ２３６を通じて聴取することができる。
【０１９０】
なお、スピーカマークＧＸに対して再度操作が行われると、制御部２２０は、ＦＭ受信部３ａで受信しているＦＭラジオ放送番組の音声信号の提供停止要求を形成する。そして、制御部２２０は、形成した音声信号の提供停止要求を近距離無線部２３２、送受信アンテナ２３３を通じて音声再生用装置１００Ｃに送信する。
【０１９１】
この場合、音声再生用装置１００Ｃは、送受信アンテナ１、近距離無線部２ａを通じて携帯電話端末２００Ｃからの音声信号の提供停止要求を受信し、これをＡＣＰＵ７ａに供給する。そして、ＡＣＰＵ７ａは、近距離無線部３ａ等を制御し、ＦＭ受信部３ａにおいて受信、選局されて復調された音声信号の携帯電話端末２００Ｃへの送信を停止する。これにより、携帯電話端末２００Ｃでの当該音声信号に応じた音声の再生も停止される。
【０１９２】
さらに、この第３の実施の形態において、図９に示したように表示されるＦＭラジオアプリケーション用の操作パネルにおいて、放送局名の表示エリアＡＸ上に指等が接触するようにされると、携帯電話端末２００Ｃの制御部２２０は、制御部２２０のＥＥＰＲＯＭに記憶保持されている上述した放送局リストの対応する放送局のＵＲＬを読み出す。そして、制御部２２０は、通信系２１０を制御し、読み出したＵＲＬを用いて、目的とする放送局のＷｅｂページにアクセスし、当該放送局のＷｅｂページを閲覧することができるようにされる。
【０１９３】
これにより、現在、音声再生用装置１００Ｃを通じて聴取しているＦＭ放送信号を放送している放送局についての種々の情報、たとえば放送番組表などを閲覧したり、投稿を行ったり、クイズやプレゼントの募集に応募するなどのことができるようにされる。
【０１９４】
また、この第３の実施の形態において、図９に示したように表示されるＦＭラジオアプリケーション用の操作パネルにおいて、楽曲名などが表示される関連情報の表示エリアＦＸ上に指等が接触するようにされると、携帯電話端末２００Ｃの制御部２２０は、制御部２２０のＥＥＰＲＯＭに記憶保持されている音楽コンテンツのオンラインショップのＷｅｂページのＵＲＬを読み出す。そして、制御部２２０は、通信系２１０を制御し、読み出したＵＲＬを用いて、目的とするオンラインショップのＷｅｂページにアクセスし、当該オンラインショップのＷｅｂページを閲覧することができるようにされる。
【０１９５】
これにより、現在、音声再生用装置１００Ｃを通じて聴取しているＦＭラジオ放送番組において放送されている楽曲のデジタルコンテンツを、インターネットを通じて即座に購入するなどのことができる。
【０１９６】
この他、放送されている楽曲の楽曲名が分からない場合には、受信している楽曲のイオ音声データの一部を所定の検索サーバに送信して、楽曲名を検索するなどのこともできる。また、音声再生用装置１００Ｃを通じて、ＦＭラジオ放送番組を聴取しながら、携帯電話端末２００Ｃの通信系を通じて、インターネットにアクセスし、種々のＷｅｂページを閲覧したり、電子メールの送受信を行ったりすることもできるようにされる。
【０１９７】
次に、この第３の実施の形態の音声再生用装置１００Ｃを用いて携帯電話端末２００Ｃからの提供される再生音声を聴取する場合について説明する。この第３の実施の形態の携帯電話端末２００Ｃの場合、例えば、ＬＣＤ２２２に表示されたメニューから、音楽再生アプリケーションという項目を選択すると、制御部２２０において、当該音楽再生アプリケーション（ソフトウェア）が実行される。
【０１９８】
この場合、携帯電話端末２００Ｃの制御部２２０は、まず、携帯電話端末２００Ｃからの音声信号を再生するようにする制御信号を形成し、これを近距離無線部２３２、送受信アンテナ２３３を通じて音声再生用装置１００Ｃに送信する。
【０１９９】
当該制御信号は、音声再生用装置１００Ｃの送受信アンテナ１、近距離無線部２ａを通じて受信され、ＡＣＰＵ７ａに供給される。そして、ＡＣＰＵ７ａは、当該制御信号に応じて、スイッチ回路９ａをＤ／Ａ変換器８側に切り換えるように制御する。
【０２００】
これにより、近距離無線部２ａを通じて受信され、Ｄ／Ａ変換器でアナログ音声信号に変換された携帯電話端末２００Ｃからの再生音声信号に応じた音声信号が、スイッチ回路９ａを通じてアンプ４ａに供給される。そして、アンプ４ａにおいて増幅された音声信号が、接続端子５を通じて、これに接続されたイヤホンに供給され、携帯電話端末２００Ｃからの音声信号に応じた音声を聴取することができるようにされる。
【０２０１】
そして、携帯電話端末２００Ｃの制御部２２０は、例えば、図６に示したような操作パネルをＬＣＤ２２２に表示する。そして、音量調整を行うようにする操作がタッチパネル２２３を通じて行うようにされた場合には、制御部２２０は、上述もしたように音量制御信号を形成し、これを近距離無線部２３２、送受信アンテナ２３３を通じて音声再生用装置１００Ｃに送信して音量の調整を行うようにする。
【０２０２】
また、再生開始、再生停止、早送り、早戻しなどを行うようにする操作がタッチパネル２２３を通じて行うようにされた場合には、携帯電話端末２００Ｃの制御部２２０は、自己を制御し、音声データの再生処理を制御するようにする。
【０２０３】
このように、この第３の実施の形態の音声再生システムの場合には、携帯電話端末２００Ｃから音声再生用装置１００Ｃを制御して、ＦＭラジオ放送番組の聴取や、携帯電話端末２００Ｃからの再生音声の聴取を行うようにすることができる。
【０２０４】
また、この第３の実施の形態の音声再生システムの場合には、音声再生用装置１００Ｃを通じてＦＭラジオ放送番組を聴取している場合に、聴取している放送番組の放送局のＷｅｂページに、携帯電話端末２００Ｃを通じてアクセスして種々の情報を取得したり、投稿したりするなどのことを簡単に行うことができるようにされる。また、ＦＭラジオ放送により放送されている音楽のデジタルコンテンツをインターネットを通じて簡単に購入するなどのこともできるようにされる。
【０２０５】
すなわち、聴取するようにしているＦＭラジオ放送番組に関連する情報を、携帯電話端末２００Ｃを用いてリアルタイムにインターネットを通じて取得することができる。また、放送中のＦＭラジオ放送番組に対して、インターネットを通じてアクセスし、投稿したり、質問に答えたり、プレゼントに応募したりするなどのことも簡単に行うようにすることができる。
【０２０６】
［音声再生システムの動作のまとめ］
次に、この第３の実施の形態の音声再生システムの動作を、携帯電話端末２００Ｃの動作と、音声再生用装置１００Ｃの動作とに分けて説明する。
【０２０７】
［携帯電話端末２００Ｃの動作］
図１０、図１１は、この第３の実施の形態の携帯電話端末２００Ｃの動作を説明するためのフローチャートである。この図１０、図１１のフローチャートの処理は、上述もしたように、携帯電話端末２００ＣのＬＣＤ２２２に表示されたメニューからＦＭラジオアプリケーションが選択された場合に、制御部２２０によって実行される処理である。
【０２０８】
ＦＭラジオアプリケーション２２４が実行するようにされると、携帯電話端末２００Ｃの制御部２２０は、まず、音声再生用装置１００Ｃに対して、ＦＭラジオ放送を聴取できるようにする経路の接続を指示する（ステップＳ３０１）。ステップＳ３０１の処理は、上述したように、制御部２２０において、ＦＭ受信部３ａからの音声信号を再生するようにする制御信号を形成し、これを近距離無線部２３２、送受信アンテナ２３３を通じて音声再生用装置１００Ｃに送信する処理である。
【０２０９】
この後、制御部２２０は、音声再生用装置１００Ｃに対して、ＦＭ受信部３ａ等の状態を示す情報の提供を要求する（ステップＳ３０２）。すなわち、ステップＳ３０２においては、選局周波数情報、音量情報、受信、選局されているＦＭ放送信号に多重化されている楽曲名などの情報の提供要求を形成し、これを近距離無線部２３２、送受信アンテナ２３３を通じて音声再生用装置１００Ｃに送信する。
【０２１０】
そして、制御部２２０は、送受信アンテナ２３３、近距離無線部２３２を通じて、提供を要求した情報を音声再生用装置１００Ｃから受信し、これらの情報を含めたＦＭラジオアプリケーションの操作パネルをＬＣＤ２２２に表示する（ステップＳ３０３）。このステップＳ３０３において表示される操作パネルが、図９を用いて説明したものである。
【０２１１】
制御部２２０は、ＬＣＤ２２２に表示される当該操作パネルの表示とタッチパネル２２３とかなる操作部やハードボタンスイッチなどとして設けられている操作部２２１を通じて、操作入力を受け付ける（ステップＳ３０４）。そして、受け付けた操作入力が、当該ＦＭラジオアプリケーション２２４の終了指示か否かを判断する（ステップＳ３０５）。
【０２１２】
ステップＳ３０５の判断処理において、ＦＭラジオアプリケーション２２４の終了が指示されたと判断したときには、制御部２２０は、当該ＦＭラジオアプリケーション２２４の実行を終了させて、ＬＣＤ２２２の表示を通常の画面表示に戻す（ステップＳ３０６）。そして、この図１０、図１１に示した処理を終了させる。
【０２１３】
また、ステップＳ３０５の判断処理において、受け付けた操作入力は、ＦＭラジオアプリケーション２２４の終了指示ではないと判断したときには、制御部２２０は、受け付けた操作入力は、音声再生用装置１００Ｃに対するＦＭ放送信号の選局の変更指示や音量の調整指示か否かを判断する（ステップＳ３０７）。
【０２１４】
ステップＳ３０７の判断処理において、ＦＭ放送信号の選局の変更指示や音量の調整指示を受け付けたと判断したときには、制御部２２０は、当該指示に応じた選局制御信号や音量制御信号を生成し、これを音声再生用装置１００Ｃに送信する（ステップＳ３０８）。このステップＳ３０８においても、選局制御信号や音量制御信号は、近距離無線部２３２、送受信アンテナ２３３を通じて音声再生用装置１００Ｃに送信される。
【０２１５】
そして、音声再生用装置１００Ｃは、携帯電話端末２００Ｃからの選局制御信号や音量制御信号に基づいて、選局の変更や音量の調整を行ったときには、調整後の状態を示す情報を送信してくる。そこで、携帯電話端末２００Ｃの制御部２２０は、当該情報を送受信アンテナ２３３、近距離無線部２３２を通じて受信し、これをＬＣＤ２２２に表示されている操作パネルに表示する（ステップＳ３０９）。
【０２１６】
すなわち、ステップＳ３０９の処理は、変更後の選局周波数や放送局名の表示エリアＡＸの表示を変更したり、ボリュームメータＥＸの表示を変更したりするものである。ステップＳ３０９の処理の後、制御部２２０は、ステップＳ３０４からの処理を繰り返し、ユーザからの新たな操作入力を受け付けるようにする。
【０２１７】
また、ステップＳ３０７の判断処理において、ステップＳ３０４において受け付けた操作入力は、ＦＭラジオ放送の選局の変更指示や音量の調整指示ではないと判断したときには、制御部２２０は、図１１のステップＳ３１０の処理に進む。
【０２１８】
そして、制御部２２０は、受け付けた操作入力は、インターネット上に開示されている情報の取得指示か否かを判断する（ステップＳ３１０）。具体的にステップＳ３１０の判断処理は、上述もしたように、放送局名の表示エリアＡＸや楽曲名等の表示エリアＦＸに指等を接触させる操作が行われたか否かを判断する処理である。
【０２１９】
ステップＳ３１０の判断処理において、インターネット上に開示されている情報の取得指示を受け付けたと判断したときには、制御部２２０は、目的とするＷｅｂページにアクセスする処理を実行する（ステップＳ３１１）。具体的に、ステップＳ３１１においては、受けた取得指示に応じたＵＲＬを自機のＥＥＰＲＯＭなどのメモリから取得し、通信形２１０を制御して、インターネットに接続し、目的とするＷｅｂページにアクセスする処理を行う。
【０２２０】
この後、制御部２２０は、当該目的とするＷｅｂページを自機のＬＣＤ２２２に表示し（ステップＳ３１２）、当該Ｗｅｂページに対する操作入力を受け付けるようにする（ステップＳ３１３）。そして、制御部２２０は、受け付けた操作入力は、インターネットへの接続を終了させる所定の操作か否かを判断する（ステップＳ３１４）。
【０２２１】
ステップＳ３１３の判断処理において、インターネットへの接続を終了させる所定の操作が行われたと判断したときには、制御部２２０は、通信系２１０を制御してインターネットへの接続を終了させ、ＬＣＤ２２２の表示をＦＭラジオアプリケーションの操作パネルの表示に戻す（ステップＳ３１５）。この後、図１０に示したステップＳ３０４からの処理を繰り返すようにし、ユーザからの新たな操作入力を受け付けるようにする。
【０２２２】
ステップＳＳ３１４の判断処理において、インターネットへの接続を終了させる所定の操作は行われていないと判断したときには、制御部２２０は、受け付けた操作に応じた処理、例えば、目的する情報のダウンロードやユーザからの情報のアップロードなどを行うようにする（ステップＳ３１６）。この後、ステップＳ３１３からの処理を繰り返すようにし、ユーザからの新たな操作入力を受け付けるようにする。
【０２２３】
また、ステップＳ３１０の判断処理において、インターネット上に開示されている情報の取得指示は受け付けていないと判断したときには、制御部２２０は、受け付けた操作入力は、スピーカマークをオンにする操作か否かを判断する（ステップＳ３１７）。
【０２２４】
ステップＳ３１７の判断処理において、スピーカマークをオンにする操作を受け付けたと判断したときには、現在、音声再生用装置１００Ｃを通じて再生するようにされているＦＭラジオ放送番組の音声信号に応じた音声を、自機のラウドスピーカ２３６から放音する処理を行なう（ステップＳ３１８）。
【０２２５】
具体的にステップＳ３１８においては、制御部２２０が、ＦＭ受信部３ａで受信しているＦＭラジオ放送番組の音声信号の提供要求を形成しこれを近距離無線部２３２、送受信アンテナ２３３を通じて音声再生用装置１００Ｃに送信する。これに応じて、音声再生用装置１００Ｃから受信、選局しているＦＭラジオ放送番組の音声データを送信してくるので、これを送受信アンテナ２３３、近距離無線部２３２を通じて受信する。そして、制御部２２０、Ｄ／Ａ２３４、アンプ２３５、ラウドスピーカ２３６という経路を通じて受信した音声データに応じた音声を再生する処理を行なう。このようなステップＳ３１８の処理の後、制御部２２０は、図１０に示したステップＳ３０４からの処理を繰り返すようにし、ユーザからの新たな操作入力を受け付けるようにする。
【０２２６】
また、ステップＳ３１７の判断処理において、スピーカマークをオンにする操作は受け付けていないと判断したときには、スピーカマークをオフにする操作を受け付けたか否かを判断する（ステップＳ３１９）。ステップＳ３１９の判断処理において、スピーカマークをオフにする操作を受け付けたと判断したときには、制御部２２０は、ラウドスピーカ２３６からの音声の再生を終了させる処理を行う（ステップＳ３２０）。
【０２２７】
このステップＳ３２０においては、制御部２２０が、ＦＭ受信部３ａで受信しているＦＭラジオ放送番組の音声信号の提供停止要求を形成し、これを近距離無線部２３２、送受信アンテナ２３３を通じて音声再生用装置１００Ｃに送信する。これにより、音声再生用装置１００Ｃからの音声データの送信が停止される。また、制御部２２０は、自機における受信した音声データの再生処理を終了させる。
【０２２８】
そして、ステップＳ３２０の処理の後、制御部２２０は、図１０に示したステップＳ３０４からの処理を繰り返すようにし、ユーザからの新たな操作入力を受け付けるようにする。また、ステップＳ３１９の判断処理において、スピーカマークをオフにする操作を受け付けていないと判断したときには、受け付けた操作入力は有効な操作入力ではないので、制御部２２０は、図１０に示したステップＳ３０４からの処理を繰り返すようにし、ユーザからの新たな操作入力を受け付けるようにする。
【０２２９】
このように、携帯電話端末２００Ｃから音声再生用装置１００ＣのＦＭラジオ放送の受信機能に関連する種々の操作を受け付けて、携帯電話端末２００Ｃから音声再生用装置１００Ｃを制御することができるようにされる。これにより、携帯電話端末２００ＣはＦＭ受信部を備えていないにも関わらず、あたかも自機がＦＭ受信部を備えているかのように振舞って、ＦＭラジオ放送等を音声再生用装置１００Ｃを通じて聴取することができるようにされる。
【０２３０】
［音声再生用装置１００Ｃの動作］
次に、音声再生用装置１００Ｃの動作について説明する。図１２は、この第３の実施の形態の音声再生用装置１００Ｃの動作を説明するためのフローチャートである。音声再生用装置１００Ｃに電源が投入されると、音声再生用装置１００ＣのＡＣＰＵ７ａは、図１２に示す処理を実行する。
【０２３１】
そして、ＡＣＰＵ７ａは、まず、近距離無線部２ａを通じて、携帯電話端末２００Ｃからの要求等を受信するようにする（ステップＳ４０１）。そして、近距離無線部２ａを通じて携帯電話端末２００Ｃからの要求等を受信すると、ＡＣＰＵ７ａは受信した携帯電話端末２００Ｃからの要求等は、音声信号の再生経路を選択するようにする制御信号か否かを判断する（ステップＳ４０２）。
【０２３２】
ステップＳ４０２の判断処理において、音声信号の再生経路を選択するようにする制御信号を受信したと判断したときには、ＡＣＰＵ７ａは当該制御信号に応じてスイッチ回路９ａの切り換え制御を行う（ステップＳ４０３）。すなわち、ステップＳ４０３では、携帯電話端末２００Ｃからの制御信号が、ＦＭ受信部３Ａからの音声信号の再生を指示するものであるときには、スイッチ回路９ＡをＦＭ受信部３Ａ側に切り換る。また、携帯電話端末２００Ｃからの制御信号が、携帯電話端末２００Ｃからの音声信号の再生を指示するものであるときには、スイッチ回路９ＡをＤ／Ａ変換器８に切り換る。ステップＳ４０３の処理の後においては、ＡＣＰＵ７ａは、ステップＳ４０１からの処理を繰り返すようにする。
【０２３３】
ステップＳ４０２の判断処理において、音声信号の再生経路を選択するようにする制御信号を受信していないと判断したときには、ＡＣＰＵ７ａは、ステップＳ４０１で受信した携帯電話端末２００Ｃからの要求等は、情報の提供要求か否かを判断する（ステップＳ４０４）。
【０２３４】
ステップＳ４０４の判断処理において、情報の提供要求を受信したと判断したときには、ＡＣＰＵ７ａは、要求された情報を取得し、これを近距離無線部２ａ、送受信アンテナ１を通じて携帯電話端末２００Ｃに送信する（ステップＳ４０５）。ステップＳ４０５において取得、送信される情報は、例えば、ＦＭ受信部３ａにおける現在の選局周波数情報やアンプ４ａにおける音量情報、ＦＭ放送信号に多重化されている楽曲名などである。ステップＳ４０５の処理の後においては、ＡＣＰＵ７ａは、ステップＳ４０１からの処理を繰り返すようにする。
【０２３５】
また、ステップＳ４０４において、情報の提供要求を受信していないと判断したときには、ＡＣＰＵ７ａは、ステップＳ４０１で受信した携帯電話端末２００Ｃからの要求等は、選局や音量調整のための制御信号か否かを判断する（ステップＳ４０６）。
【０２３６】
ステップＳ４０６の判断処理において、携帯電話端末２００Ｃからの要求等は、選局や音量調整のための制御信号であると判断したときには、ＡＣＰＵ７ａは、受信した制御信号に応じた調整を実行する（ステップＳ４０７）。すなわち、ステップＳ４０７においては、ＡＣＰＵ７ａにより、ＦＭ受信部３ａにおける放送信号の選局変更や、アンプ４ａにおける音量調整が行われる。
【０２３７】
この後、ＡＣＰＵ７ａは、調整後の状態を近距離無線部２ａ、送受信アンテナ１を通じて携帯電話端末２００Ｃに通知する（ステップＳ４０８）。すなわち、ステップＳ４０８では、調整後の選局周波数情報や音量情報が、携帯電話端末２００Ｃに提供される。
【０２３８】
ステップＳ４０８の処理の後においては、ＡＣＰＵ７ａは、ステップＳ４０１からの処理を繰り返すようにする。また、ステップＳ４０６の判断処理において、携帯電話端末２００Ｃからの要求等は、選局や音量調整のための制御信号ではないと判断したときには、受信した要求用は有効なものではないと判断し、ステップＳ４０１からの処理を繰り返すようにする。
【０２３９】
このように、この第３の実施の形態の音声再生用装置１００Ｃは、携帯電話端末２００Ｃからの制御に応じて、ＦＭ受信部３ａからの音声信号を再生することができる。また、携帯電話端末２００Ｃからの制御に応じて、携帯電話端末２００Ｃから提供され、近距離無線部２ａを通じて受信し、Ｄ／Ａ変換器８でアナログ信号に変換した音声信号を再生したりすることができるようにされる。
【０２４０】
また、携帯電話端末２００Ｃからの制御に応じて、ＦＭ受信部３ａにおける選局やアンプ４ａにおける音量を制御するなどのこともできるようにされる。
【０２４１】
［この発明のプログラム］
そして、図１２に示したフローチャートに対応するプログラムが、音声再生用装置１００Ｃに搭載されるこの発明の音声再生用装置の制御プログラムの一態様である。また、図１０、図１１に示したフローチャートに対応するプログラムが、携帯電話端末２００Ｃに搭載されるこの発明の音声再生用装置利用プログラムの一態様である。
【０２４２】
［請求項との対応］
なお、上述した実施の形態においては、音声再生用装置のＦＭ受信部３、３ａが、ＦＭ受信回路の機能を実現し、近距離無線部２、２ａが近距離無線通信回路の機能を実現し、スイッチ回路９、９ａがスイッチ回路の機能を実現している。また、音声再生用装置の接続端子５が、接続端の機能を実現している。
【０２４３】
また、上述した実施の形態においては、音声再生用装置のＡＣＰＵ７ａが、制御手段の機能を実現し手いる。また、音声再生用装置の主にＡＣＰＵ７ａが、切り換え制御手段としての機能を実現し、ＡＣＰＵ７ａと近距離無線部２ａが、情報提供手段としての機能を実現している。
【０２４４】
また、携帯電話端末２００Ｃの近距離無線部２２３が近距離無線通信回路の機能を実現し、ＬＣＤ２２２が表示手段の機能を実現し、タッチパネル２２３とＬＣＤ２２２とが受付手段の機能を実現し、制御部２２０が、要求送信手段と表示制御手段との機能を実現している。
【０２４５】
［その他］
なお、上述した実施の形態においては、音声再生用装置１００Ａ、１００Ｂ、１００Ｃに音声信号を供給する端末装置は、携帯電話端末２００Ａ、２００Ｂ、２００Ｃであるものとして説明したが、これに限るものではない。音声再生用装置１００Ａ、１００Ｂ、１００Ｃに音声信号を供給する端末装置としては、例えば、半導体メモリ、ハードディスク、ミニディスク（登録商標）等と呼ばれる小型の光磁気ディスク、ＣＤ（Compact Disc）等の光ディスクなどの種々の記録媒体が用いられる音楽プレーヤ、ＰＤＡ（Personal Digital Assistant）等と呼ばれる携帯情報端末、ノート型のパーソナルコンピュータなど、音声再生機能と近距離無線通信機能を備えた種々の電気機器とすることができる。
【０２４６】
また、上述した実施の形態においては、Ｂｌｕｅｔｏｏｔｈ規格の近距離無線通信を用いるものとして説明した。Ｂｌｕｅｔｏｏｔｈ規格は、２．４ＧＨｚを使用し、半径１０〜１００メートル程度のＢｌｕｅｔｏｏｔｈ搭載機器と、最大２４Ｍｂｐｓで無線通信を行うようにするものである。
【０２４７】
しかし、これに限るものではない。Ｂｌｕｅｔｏｏｔｈ規格の他、近距離無線通信の規格には、ZigBee、TransferJetなどの幾つかの規格が存在し、これらを用いるようにする場合にも、この発明を適用することができる。
【０２４８】
次に、音声再生用装置１００Ａ、１００Ｂ、１００Ｃ、携帯電話端末２００Ａ、２００Ｂ、２００Ｃの操作は、ボタン等によるハード操作、タッチパネル等によるソフト操作、及びこれらの組み合わせである。
【０２４９】
また、音声再生用装置１００Ａ、１００Ｂ、１００Ｃ、携帯電話端末２００Ａ、２００Ｂ、２００Ｃ内においては、Ｉ２Ｃ（Inter-Integrated Circuit）やＳＰＩ（Serial Peripheral Interface）等のインターフェイスが用いられて、各回路間において情報の送受が行われる。
【０２５０】
また、図３、図６に示した音声再生用装置１００Ａ、１００Ｂの外観は、あくまでも一例であり、種々の態様とすることが可能であるし、また、図９に示した操作パネルも一例であり、他の種々の態様とすることが可能である。
【０２５１】
また、上述した実施の形態においては、ＦＭ受信部３で受信選局した放送信号を再生する場合と、近距離無線通信部２を通じて受信した携帯電話端末２００等からの音声信号を再生する場合とを、スイッチ回路９、９ａで切り換えるものとして説明した。しかしこれに限るものではない。
【０２５２】
電源を供給する回路部分を制御して、再生する音声を選択するようにすることもできる。すなわち、ＦＭ受信部３で受信選局した放送信号を再生する場合には、ＦＭ受信部３に電源を供給して動作させ、Ｄ／Ａ変換部８には電源を供給しないで動作させないようにする。逆に、近距離無線通信部２を通じて受信した携帯電話端末２００等からの音声信号を再生する場合には、Ｄ／Ａ変換部８電源を供給して動作させ、ＦＭ受信部３には電源を供給しないで動作させないようにする。このようにして、再生する音声信号の経路を選択することもできる。
【符号の説明】
【０２５３】
１００、１００Ａ、１００Ｂ、１００Ｃ…音声再生用装置、１…近距離無線通信用の送受信アンテナ、２、２ａ…近距離無線部、３、３ａ…ＦＭ受信部、４、４ａ…アンプ、５…接続端子、６、６ａ…操作部、７、７ａ…ＡＣＰＵ、８…Ｄ／Ａ変換器、９、９ａ…切り換え回路、１０…ＬＣＤ、１１…Ｄ／Ａ変換器、１５０…イヤホン、２００、２００Ａ、２００Ｂ、２００Ｃ…携帯電話端末、２１０…通信系、２１１…送受信アンテナ、２１２…送受信部、２１３…コーデック、２１４…スピーカ、２１５…マイクロホン、２２０…制御部、２２１…操作部、２２２…ＬＣＤ、２２３…タッチパネル、２２４…ＦＭラジオアプリケーション、２３０…音声再生系、２３１…メモリ、２３２…近距離無線部、２３３…近距離無線通信用の送受信アンテナ、２３４…Ｄ／Ａ変換器、２３５…アンプ、２３６…ラウドスピーカ
【図１】
2011259409.tif 000003
【図２】
2011259409.tif 000004
【図３】
2011259409.tif 000005
【図４】
2011259409.tif 000006
【図５】
2011259409.tif 000007
【図６】
2011259409.tif 000008
【図７】
2011259409.tif 000009
【図８】
2011259409.tif 000010
【図９】
2011259409.tif 000011
【図１０】
2011259409.tif 000012
【図１１】
2011259409.tif 000013
【図１２】
2011259409.tif 000014
【図１３】
2011259409.tif 000015